(57)【要約】  無線通信の方法を提供する。本方法は、ユーザ機器（ＵＥ）によって、システム情報を介して必要最小限の受信レベルファクタ及びオフセットを受信すること、ＵＥによって、必要最小限の受信レベルファクタ、及び１より大きい整数によって乗算されたオフセットに基づいて、必要最小限の受信レベルを取得すること、ＵＥによって、必要最小限の受信レベルに基づいて、セル選択基準を決定すること、及びＵＥによって、セル選択基準に基づいて、セル再選択を遂行することを含む。
2021526342.tif 000002
【特許請求の範囲】
【請求項１】
一つ以上の非一時的コンピュータ読み取り可能媒体であって、前記一つ以上の非一時的コンピュータ読み取り可能媒体に実装されているコンピュータ実行可能命令を有する、一つ以上の非一時的コンピュータ読み取り可能媒体；及び
前記一つ以上の非一時的コンピュータ読み取り可能媒体に接続され、前記コンピュータ実行可能命令を実行することにより：
システム情報を介して、必要最小限の受信レベルファクタ及びオフセットを受信し；
前記必要最小限の受信レベルファクタ、及び、１より大きい整数が乗じられた前記オフセットに基づいて、必要最小限の受信レベルを取得し；
前記必要最小限の受信レベルに基づいて、セル選択基準を決定し；
前記セル選択基準に基づいて、セル再選択を遂行する
ように構成されている、少なくとも一つのプロセッサを備える、ユーザ機器（ＵＥ）。
【請求項２】
前記少なくとも一つのプロセッサは、更に、前記コンピュータ実行可能命令を実行することにより：
システム情報ブロック３（ＳＩＢ３）内の同一周波数セル（intra-frequency cell）再選択のための隣接セル関連情報内において前記オフセットが受信された場合に、同一周波数セル再選択を遂行する
ように構成されている、請求項１に記載のＵＥ。
【請求項３】
前記少なくとも一つのプロセッサは、更に、前記コンピュータ実行可能命令を実行することにより：
システム情報ブロック４（ＳＩＢ４）内の異周波数セル（inter-frequency cell）再選択のための隣接セル関連情報内において前記オフセットが受信された場合に、異周波数セル再選択を遂行する
ように構成されている、請求項１に記載のＵＥ。
【請求項４】
前記少なくとも一つのプロセッサは、更に、前記コンピュータ実行可能命令を実行することにより：
前記オフセットを要求するため、無線リソース制御（ＲＲＣ）システム情報要求メッセージをセルに送信する
ように構成されている、請求項１に記載のＵＥ。
【請求項５】
一つ以上の非一時的コンピュータ読み取り可能媒体であって、前記一つ以上の非一時的コンピュータ読み取り可能媒体に実装されているコンピュータ実行可能命令を有する、一つ以上の非一時的コンピュータ読み取り可能媒体；及び
前記一つ以上の非一時的コンピュータ読み取り可能媒体に接続され、前記コンピュータ実行可能命令を実行することにより：
システム情報を介して、必要最小限の受信レベルファクタ及びオフセットを送信し、
ユーザ機器（ＵＥ）から受信した無線リソース制御（ＲＲＣ）システム情報要求メッセージに応答して、前記オフセットが送信される
ように構成されている、少なくとも一つのプロセッサを備える、基地局。
【請求項６】
前記少なくとも一つのプロセッサは、更に、前記コンピュータ実行可能命令を実行することにより：
システム情報ブロック３（ＳＩＢ３）内の同一周波数セル（intra-frequency cell）再選択のための隣接セル関連情報内において前記オフセットを送信する
ように構成されている、請求項５に記載の基地局。
【請求項７】
前記少なくとも一つのプロセッサは、更に、前記コンピュータ実行可能命令を実行することにより：
システム情報ブロック４（ＳＩＢ４）内の異周波数セル（inter-frequency cell）再選択のための隣接セル関連情報内において前記オフセットを送信する
ように構成されている、請求項５に記載の基地局。
【請求項８】
無線通信の方法であって：
ユーザ機器（ＵＥ）が、システム情報を介して、必要最小限の受信レベルファクタ及びオフセットを受信し；
前記ＵＥが、前記必要最小限の受信レベルファクタ、及び、１より大きい整数が乗じられた前記オフセットに基づいて、必要最小限の受信レベルを取得し；
前記ＵＥが、前記必要最小限の受信レベルに基づいて、セル選択基準を決定し；
前記ＵＥが、前記セル選択基準に基づいて、セル再選択を遂行する
ことを含む、方法。
【請求項９】
前記ＵＥが、システム情報ブロック３（ＳＩＢ３）内の同一周波数セル（inter-frequency cell）再選択のための隣接セル関連情報内において前記オフセットが受信された場合に、同一周波数セル再選択を遂行する
ことを更に含む、請求項８に記載の方法。
【請求項１０】
前記ＵＥが、システム情報ブロック４（ＳＩＢ４）内の異周波数セル（inter-frequency cell）再選択のための隣接セル関連情報内において前記オフセットが受信された場合に、異周波数セル再選択を遂行する
ことを更に含む、請求項８に記載の方法。
【請求項１１】
前記ＵＥが、前記オフセットを要求するため、無線リソース制御（ＲＲＣ）システム情報要求メッセージをセルに送信する
ことを更に含む、請求項８に記載の方法。
【請求項１２】
無線通信の方法であって：
基地局が、無線リソース制御（ＲＲＣ）システム情報要求メッセージをユーザ機器（ＵＥ）から受信し；
前記基地局が、システム情報を介して、必要最小限の受信レベルファクタ及びオフセットを送信する
ことを含み、
前記ＵＥから受信した無線リソース制御（ＲＲＣ）システム情報要求メッセージに応答して、前記オフセットが送信される、方法。
【請求項１３】
前記基地局が、システム情報ブロック３（ＳＩＢ３）内の同一周波数セル（intra-frequency cell）再選択のための隣接セル関連情報内において前記オフセットを送信する
ことを更に含む、請求項１２に記載の方法。
【請求項１４】
前記基地局が、システム情報ブロック４（ＳＩＢ４）内の異周波数セル（inter-frequency cell）再選択のための隣接セル関連情報内において前記オフセットを送信する
ことを更に含む、請求項１２に記載の方法。
【発明の詳細な説明】
【発明の詳細な説明】
【０００１】
〔関連出願の相互参照〕
本出願は、２０１８年６月２１日に出願された“Ｓｙｓｔｅｍ  Ｉｎｆｏｒｍａｔｉｏｎ  Ｃｏｎｔｅｎｔ  Ｄｅｓｉｇｎ”という名称の暫定米国特許出願第６２／６８８１９２号（代理人整理番号ＵＳ７４２８５）の利益及び優先権を主張する（以下、“ＵＳ７４２８５出願”という）。ＵＳ７４２８５出願の開示は、参照により本出願に完全に組み込まれる。
〔分野〕
【０００２】
本開示は一般に、無線通信に関し、より詳細には、無線通信システムにおいてセル（再）選択を遂行するための方法及び装置に関する。
〔背景〕
【０００３】
次世代（例えば第５世代（５Ｇ）新無線（New Radio:ＮＲ））無線通信システムのための無線通信の異なる態様（例えばデータ速度、遅延性、信頼性、モビリティなど）を改善するために、様々な努力がなされてきた。例えば次世代無線通信システムにおいて、システム情報の分布は、エネルギー効率、高速システムアクセス、柔軟な展開などをターゲットとしてもよい。しかしながら、情報ブロックにおけるシステム情報コンテンツの設計は、そのようなシステム情報コンテンツの利用及び情報ブロックがどのように分配されるかを考慮する必要がある。さらに、柔軟性及びエネルギー効率を達成するために、最小システム情報をできるだけコンパクトに構造化する必要がある。
〔概要〕
【０００４】
本開示は、無線通信システムにおいて、セル（再）選択を遂行するための方法及び装置を対象とする。
【０００５】
本開示の一態様によれば、ユーザ機器（User equipment:ＵＥ）が提供される。ＵＥは、コンピュータ実行可能命令を有する一つ以上の非一時的コンピュータ読み取り可能媒体及び一つ以上の非一時的コンピュータ読み取り可能媒体に接続された少なくとも一つのプロセッサを含む。少なくとも一つのプロセッサは、システム情報を介して、必要最小限の受信レベルファクタ、及びオフセットを受信し、必要最小限の受信レベルファクタ及び１より大きい整数によって乗算されたオフセットに基づいて、必要最小限の受信レベルを取得し、必要最小限の受信レベルに基づいて、セル選択基準を決定し、セル選択基準に基づいて、セル再選択を遂行するようにコンピュータ実行可能命令を実行するように構成される。
【０００６】
本開示の別の態様によれば、基地局が提供される。基地局は、コンピュータ実行可能命令を有する一つ以上の非一時的コンピュータ読み取り可能媒体及び一つ以上の非一時的コンピュータ読み取り可能媒体に接続された少なくとも一つのプロセッサを含む。少なくとも一つのプロセッサは、システム情報を介して、必要最小限の受信レベルファクタ及びオフセットを送信し、ＵＥから受信した無線リソース制御（Radio Resource Control:ＲＲＣ）システム情報要求メッセージに応答してオフセットが送信されるようにコンピュータ実行可能命令を実行するように構成される。
【０００７】
本開示の別の態様によれば、無線通信方法が提供される。本方法は、ＵＥによって、システム情報を介して、必要最小限の受信レベルファクタ及びオフセットを受信すること、ＵＥによって、必要最小限の受信レベルファクタ及び１より大きい整数によって乗算されたオフセットに基づいて、必要最小限の受信レベルを取得すること、ＵＥによって、必要最小限の受信レベルに基づいて、セル選択基準を決定すること、ＵＥによって、セル選択基準に基づいて、セル再選択を遂行することを含む。
【０００８】
本開示の別の態様によれば、無線通信の方法が提供される。本方法は、ＵＥからＲＲＣシステム情報要求を、基地局によって、受信すること、システム情報を介して、必要最小限の受信レベルファクタ及びオフセットを、基地局によって、送信すること、オフセットが、ＵＥから受信したＲＲＣシステム情報要求メッセージに応答して送信されることを含む。
〔図面の簡単な説明〕
【０００９】
本開示の態様は、添付の図面を参照しながら以下の詳細な説明から最も良く理解される。様々な特徴は、一定の縮尺で描かれていない。様々な特徴の寸法は、議論を明確にするために任意に増減されてもよい。
【００１０】
図１は、本開示の例示的な実装形態に従った、システム情報ブロック１（System Information Block 1:ＳＩＢ１）コンテンツの分割を示す概略図である。
【００１１】
図２は、本開示の例示的な実装形態に従った、ＵＥとセルの間のシグナリングフローを示す概略図である。
【００１２】
図３は、本開示の例示的な実装形態に従った、ＵＥとセルの間のシグナリングフローを示す概略図である。
【００１３】
図４は、本開示の例示的な実装形態に従った、システム情報を受信する方法のフローチャートを示す。
【００１４】
図５は、本開示の様々な態様に従った、無線通信のためのノードを示すブロック図である。
〔詳細な説明〕
【００１５】
以下の説明は、本開示における例としての実装形態に関係がある特定の情報を含む。本開示における図面及びそれらの添付の詳細な説明は、単に例としての実装形態のみを対象としている。しかし、本開示は、これらの例としての実装形態のみに限定されるものではない。本開示の他の変形及び実装形態は、当業者には想起されるであろう。特に断らない限り、複数の図中の同様の又は対応する要素は、同様の又は対応する参照番号によって示され得る。さらに、本開示における図面及び例示は、一般的に、一定の縮尺ではなく、実際の相対的な寸法に対応することを意図していない。
【００１６】
一貫性及び容易な理解の目的のために、同様の特徴は（いくつかの例では、図示されていないが）、例としての図において、数字によって識別される。しかしながら、異なる実装形態における特徴は、他の点で異なっていてもよく、したがって、図面に示されるものに狭く限定されるものではない。
【００１７】
本明細書では、「一つの実装形態において」又は「いくつかの実装形態において」という語句を使用し、それぞれが同じ又は異なる実装形態のうちの一つ以上を指してもよい。「結合された」というタームは、直接的又は間接的に介在する部品を介して接続されたものとして定義され、必ずしも物理的な接続に限定されるものではない。「備える」というタームは、使用されるとき、「必ずしも限定されないが、含む」を意味するタームであり、そのように記載された組み合わせ、群、系列、及び同等物におけるオープンエンドの包含又はメンバーシップを具体的に示す。「Ａ、Ｂ、及びＣのうちの少なくとも一つ」又は「以下のＡ、Ｂ、及びＣのうちの少なくとも一つ」は、「Ａのみ、Ｂのみ、又はＣのみ、又はＡ、Ｂ及びＣの任意の組み合わせ」を意味する。
【００１８】
さらに、説明及び非限定の目的のために、機能エンティティ、技法、プロトコル、スタンダードなどといった具体的な詳細は、説明される技術の理解を実現するために記載される。他の例において、不必要な詳細を用いた説明を不明瞭にしないために、既知の方法、技術、システム、アーキテクチャなどの詳細な説明は、省略される。
【００１９】
当業者は、本開示に記載されている任意のネットワーク機能（複数可）又はアルゴリズム（複数可）がハードウェア、ソフトウェア、又はソフトウェアとハードウェアの組み合わせによって実装されてもよいことを直ちに理解するだろう。説明された機能は、ソフトウェア、ハードウェア、ファームウェア、又はそれらの任意の組み合わせであり得るモジュールに対応し得る。ソフトウェアの実装形態は、メモリ又は他の種類の記憶装置といったコンピュータ読み取り可能媒体に記憶されたコンピュータ実行可能命令を含んでもよい。例えば通信処理能力を有する一つ以上のマイクロプロセッサ又は汎用コンピュータを、対応する実行可能命令でプログラムし、記述されたネットワーク機能（複数可）又はアルゴリズム（複数可）を実行することができる。マイクロプロセッサ又は汎用コンピュータは、特定用途向け集積回路（Applications Specific Integrated Circuitry:ＡＳＩＣ）、プログラマブルロジックアレイ、及び／又は一つ以上のデジタル信号プロセッサ（Digital Signal Processor:ＤＳＰｓ）を使用して形成してもよい。本明細書に記載されている実装形態のいくつかは、コンピュータハードウェア上にインストールされ、実行されるソフトウェアを指向しているが、それにもかかわらず、ファームウェアとして、又はハードウェアとして、又はハードウェアとソフトウェアの組合せとして実装される代替の例は、本開示の範囲内に十分にある。
【００２０】
コンピュータ読み取り可能媒体は、ランダムアクセスメモリ（Random Access Memory:ＲＡＭ）、読み取り専用メモリ（Read Only Memory:ＲＯＭ）、消去可能プログラマブル読み取り専用メモリ（Erasable Programmable Read-Only Memory:ＥＰＲＯＭ）、電気的消去可能プログラマブル読み取り専用メモリ（Electrically Erasable Programmable Read-Only Memory:ＥＥＰＲＯＭ）、フラッシュメモリ、コンパクトディスク読み取り専用メモリ（Compact Disc Read-Only Memory:ＣＤ−ＲＯＭ）、磁気カセット、磁気テープ、磁気ディスク記憶装置、又はコンピュータ読み取り可能命令を記憶可能な他の任意の同等の媒体を含むが、これらに限定されない。
【００２１】
無線通信ネットワークアーキテクチャ（例えばロングタームエボリューション（Long Term Evolution:ＬＴＥ）システム、ＬＴＥ−Ａｄｖａｎｃｅｄ（ＬＴＥ−Ａ）システム、ＬＴＥ−Ａｄｖａｎｃｅｄ  Ｐｒｏシステム、又は５Ｇ  ＮＲ無線アクセスネットワーク（Radio Access Network:ＲＡＮ））は、通常、少なくとも一つの基地局、少なくとも一つのＵＥ、及びネットワークへの接続を提供する一つ以上のオプションのネットワーク要素を含む。ＵＥは、一つ以上の基地局によって確立されたＲＡＮによって、ネットワーク（例えばコアネットワーク（Core Network:ＣＮ）、進化型パケットコア（Evolved Packet Core:ＥＰＣ）ネットワーク、進化型ユニバーサル地上無線アクセスネットワーク（Evolved Universal Terrestrial Radio Access network:Ｅ−ＵＴＲＡＮ）、５Ｇコア（５ＧＣ）、又はインターネット）と通信する。
【００２２】
なお、本出願において、ＵＥは、移動局、携帯端末又は機器、ユーザ通信無線端末を含んでよいが、これらに限定されない。例えばＵＥは、携帯無線機器であってよく、携帯電話、タブレット、ウェアラブルデバイス、センサ、車両、又は無線通信能力を有する携帯情報端末（Personal Digital Assistant:ＰＤＡ）を含むが、これらに限定されない。ＵＥは、無線アクセスネットワークにおける一つ以上のセルと、エアーインターフェース上で、信号を送受信するよう構成されている。
【００２３】
基地局は、以下の無線アクセス技術（Radio Access Technologies:ＲＡＴｓ）の内の少なくとも一つに従った通信サービスを提供するように構成されてよい。マイクロ波アクセスのためのワールドワイド相互運用（Worldwide Interoperability for Microwave Access:ＷｉＭＡＸ）、モバイル通信のためのグローバルシステム（Global System for Mobile:ＧＳＭ、しばしば２Ｇとして呼ばれる）、ＧＳＭ  ＥＤＧＥ無線アクセスネットワーク（GSM EDGE Radio Access Network:ＧＥＲＡＮ）、汎用パケット無線サービス（General Packet Radio Service:ＧＲＰＳ）、基本広帯域コード分割多元アクセス（wideband-code division multiple access:Ｗ−ＣＤＭＡ）に基づいたユニバーサルモバイル通信システム（Universal Mobile Telecommunication System:ＵＭＴＳ、しばしば３Ｇとして呼ばれる）、高速パケットアクセス（high-speed packet access:ＨＳＰＡ）、ＬＴＥ、ＬＴＥ−Ａ、ｅＬＴＥ（進化型ＬＴＥ、例えば５ＧＣに接続したＬＴＥ）、ＮＲ（しばしば５Ｇとして呼ばれる）、及び／又はＬＴＥ−Ａ  Ｐｒｏ。しかしながら本出願の範囲は、上記のプロトコルに限定されるべきではない。
【００２４】
基地局は、ＵＭＴＳにおけるノードＢ（node B:ＮＢ）、ＬＴＥ又はＬＴＥ−Ａにおける進化型ノードＢ（evolved node B:ｅＮＢ）、ＵＭＴＳにおける無線ネットワークコントローラ（ＲＮＣ）、ＧＳＭ／ＧＥＲＡＮにおける基地局コントローラ（base station controller:ＢＳＣ）、５ＧＣに関連するＥ−ＵＴＲＡ基地局におけるｎｇ−ｅＮＢ、５Ｇ−ＲＡＮにおける次世代ノードＢ（generation Node B:ｇＮＢ）、及びセル内の無線通信を制御し、無線リソースを管理することができる任意の他の装置を含むことができるが、これらに限定されない。基地局は、ネットワークへの無線インターフェースによって、一つ以上のＵＥｓにサービスを提供するように接続し得る。
【００２５】
基地局は、無線アクセスネットワークを形成する複数のセルを使用して、特定の地理的エリアに無線カバレッジを提供するように動作可能である。基地局は、セルの動作をサポートする。各セルは、その無線カバレッジ内の少なくとも一つのＵＥにサービスを提供するように動作可能である。より具体的には、各セル（しばしばサービングセルと呼ばれる）は、その無線カバレッジ内の一つ以上のＵＥｓを提供するサービスを提供する（例えば各セルは、下りリンクをスケジュールし、任意で、下りリンク及び任意で上りリンクパケット送信のために、その無線カバレッジ内の少なくとも一つのＵＥに上りリンクリソースをスケジュールする）。基地局は、複数のセルによって、無線通信システム内の一つ以上のＵＥｓと通信することができる。セルは、近接サービス（Proximity Service:ＰｒｏＳｅ）又はビークル・トゥ・エブリシング（Vehicle to Everything:Ｖ２Ｘ）サービスをサポートするためにサイドリンク（sidelink:ＳＬ）リソースを割り当ててよい。各セルは、他のセルと重複するカバレッジ領域を有してもよい。
【００２６】
上述したように、ＮＲのためのフレーム構造は、高信頼性、高データ速度、及び低遅延性の要件を満たしながら、拡張モバイルブロードバンド（Enhanced Mobile Broadband:ｅＭＢＢ）、大容量マシンタイプ通信（Massive Machine Type Communication:ｍＭＴＣ）、超高信頼性及び低遅延性通信（Ultra-Reliable and Low-Latency Communication:ＵＲＬＬＣ）といった様々な次世代（例えば５Ｇ）通信要件に対応するための柔軟な構成をサポートすることである。３ＧＰＰにおいて合意された直交周波数分割多重（Orthogonal Frequency-Division Multiplexing:ＯＦＤＭ）技術は、ＮＲ波形のための基準として提供してよい。適応サブキャリア間隔、チャンネル帯域幅、及びサイクリックプレフィックス（Cyclic Prefix:ＣＰ）といったスケーラブルなＯＦＤＭニューメロロジーは、使用されてもよい。さらに、ＮＲには（１）低密度パリティ検査（Low-Density Parity-Check:ＬＤＰＣ）符号及び（２）ポーラ符号の２つの符号化方法が考えられる。符号化方法の適応は、チャンネル条件及び／又はサービスアプリケーションに基づいて構成されてもよい。
【００２７】
さらに、単一のＮＲフレームの送信時間隔ＴＸにおいて、下りリンク（downlink:ＤＬ）送信データ、ガード期間、及び上りリンク（uplink:ＵＬ）送信データは、少なくとも含まれるべきであり、ＤＬ送信データ、ガード期間、及びガード期間のそれぞれの部分において、ＵＬ送信データはまた、例えばＮＲのネットワークダイナミクスに基づいて設定可能であるべきであることも考慮される。さらに、サイドリンクリソースは、ＰｒｏＳｅサービス又はＶ２Ｘサービスをサポートするために、ＮＲフレーム内に提供されてもよい。
【００２８】
さらに、本明細書中のターム「システム」及び「ネットワーク」は、互換的に使用されてよい。本明細書中のターム「及び／又は」は、関連するオブジェクトを記述するための関連する関係のみであり、三つの関係が存在してもよいことを表す。例えばＡ及び／又はＢは、Ａが単独で存在し、Ａ及びＢが同時に存在し、Ｂが単独で存在することを示してもよい。加えて、本明細書中の文字「／」は、前者及び後者の関連するオブジェクトが「又は」関係にあることを一般的に表す。
【００２９】
一般的に、システム情報は、マスタ情報ブロック（Master Information Block:ＭＩＢ）及び一つ以上のシステム情報ブロック（System Information Blocks:ＳＩＢ）において、送信されてもよい。システム情報は、セルアクセス情報、無線リソース構成、同期信号、セル固有情報、周波数固有情報、システムワイド情報、公衆警報システム（Public Warning System:ＰＷＳ）情報などを含んでよい。
【００３０】
ＬＴＥシステムにおいて、システム情報は、定期的にブロードキャストされてよい。ＭＩＢ及びＳＩＢｓ内の明確に定義された情報に基づいて、ＵＥは、セルにアクセスするために必要なシステム情報を受信してもよい。一旦、ＵＥがパワーオンし、ＭＩＢを読み取ると、ＵＥは、セルに同期してもよい。さらに、ＵＥがセルにキャンプオンする場合、ＵＥは、セルからより多くのシステム情報を読み取り、ＲＲＣ接続セットアップ手順及びデータ送信を遂行してもよい。システム情報は、基地局（例えばＬＴＥ  ｅＮＢ又はＬＴＥセル）によって繰返しブロードキャストされうる。ＭＩＢ及びＳＩＢｓの周期性は定義されてもよく、必ずしも同じではない。
【００３１】
次世代（例えば５Ｇ  ＮＲ）ＲＡＮにおいて、システム情報の分布は、より柔軟になり、ＬＴＥネットワークとは異なってもよい。例えばＭＩＢ及びＳＩＢｓに含まれるシステム情報は、ＬＴＥシステムとは異なってもよい。システム情報の分布は、基地局（例えばＮＲ  ｇＮＢ又はＮＲセル）によって周期的にブロードキャストされてもよく、又はＵＥによってオンデマンドで要求されてもよい。基地局は、ＵＥによって要求されたシステム情報を、専用シグナリングを介して（例えばＲＲＣメッセージを介して）、ブロードキャスト又は送信してもよい。いくつかの実装形態において、ＭＩＢ及びＳＩＢ１を含んでいる最小システム情報は、周期的にブロードキャストされてもよい。ＳＩＢ１はまた、残存最小システム情報（Remaining Minimum System Information:ＲＭＳＩ）として知られてもよく、一方、残存ＳＩＢｓは、オンデマンドで放送されるか、又はオンデマンドでユニキャストされるかのいずれかであり、他のシステム情報（例えば他のＳＩ）と呼ばれてもよい。
【００３２】
次世代（例えば５Ｇ  ＮＲ）ＲＡＮにおいて、最小システム情報は、可能な限りコンパクトに構造化されてよい。例えばＳＩＢ１のサイズは、ＲＭＳＩを搬送する物理下りリンク共有チャンネル（Physical Downlink Shared Channel:ＰＤＳＣＨ）の制限を考慮して、約３０００ビットのトランスポートブロック（Transport Block:ＴＢ）サイズに制限されてよい。次世代ＲＡＮにおいて、より革新的な特徴（例えばビーム、より高い周波数、補助上りリンク（Supplementary Uplink:ＳＵＬ）、多くとも１２の公衆陸上移動ネットワーク（Public Land Mobile Networks:ＰＬＭＮ）とのネットワーク共有など）を用いて、ＳＩＢ１のサイズが、適切な制約なしである場合、著しく増大し得ることが観察される。したがって、本開示のいくつかの実装形態において、ＳＩＢ１のサイズを減少するために、システム情報コンテンツを修正してもよい。
【００３３】
本開示のいくつかの実装形態において、ＵＥがセルによってブロードキャストされたＳＩＢ１を受信するとき、ＵＥは、ＳＩＢ１を記憶し、ＳＩＢ１に含まれる必須のシステム情報を適用して、セルにキャンプオン、アクセス、及び／又は接続してもよい。本開示のいくつかの実装形態において、ＵＥは、セルがＵＥによって選択されたＰＬＭＮをサポートするかどうかを決定するために、ＳＩＢ１中のセル選択関連情報を適用してもよい。いくつかの実装形態において、ＵＥは、ＵＥがセルによって禁止されているか、受け入れられているかを決定するために、統一されたアクセス禁止関連情報を、適用することができる。ＵＥが禁止されている場合、そのアクセス試行は失敗するだろう。ＵＥが受け入れられる場合、そのアクセス試行は、成功するだろう。いくつかの実装形態において、ＵＥは、セルのための設定を構成するために共通のサービングセル構成を適用してよい。いくつかの実装形態において、ＵＥは、セルに対してＳＩＢ１内の少しのＵＥタイマ及び／又は定数を適用してよい。ある実装形態において、ＵＥは、セルから他のＳＩＢを要求するために、システム情報スケジューリング関連情報を適用してよい。次世代ＲＡＮがますます柔軟かつ機能的になるにつれて、ますます多くのシステムパラメータが必要とされる。しかしながら、ＳＩＢ１サイズは、ＴＢサイズのために制限されるため、必須システム情報をＳＩＢ１においてどのようにシグナリングするかについて、更なる考慮が必要とされる。したがって、本開示のいくつかの実装形態は、セル選択情報及び／又はＵＥタイマ及び定数のためのシグナリング機構を提供してもよい。本開示のいくつかの実装形態において、ＳＩＢ１送信／受信のための機構は、導入される。
【００３４】
本開示のいくつかの実装形態において、ＳＩＢ１は、トランスポートチャンネル（例えば下りリンク共有チャンネル（Downlink Shared Channel:ＤＬ−ＳＣＨ））上の基地局又はセルによって送信されてよい。いくつかの実装形態において、ＳＩＢ１コンテンツは、トランスポートブロックサイズ（ＴＢＳ）制限に準拠するために、基地局又はセルによって、少なくとも２つのトランスポートブロック（ＴＢ）に分割されてよい。
【００３５】
図１は、本開示の例としての実装形態に従った、ＳＩＢ１コンテンツの分割を示す概略図である。図１に示すように、ＳＩＢ１コンテンツは、ＳＩＢ１送信期間１０４内に、基地局又はセルによって、いくつかのＳＩＢ１  ＴＢｓ１０２＿１から１０２＿Ｂ（例えば「Ｂ」は整数である）に分割される。
【００３６】
いくつかの実装形態において、ＳＩＢ１  ＴＢｓ１０２＿１から１０２＿Ｂは、ＳＩＢ１コンテンツのみを搬送してよい。いくつかの他の実装形態において、ＳＩＢ１  ＴＢｓ１０２＿１から１０２＿Ｂは、ＳＩＢ１コンテンツ、制御情報（例えば下りリンク制御情報（Downlink Control Information:ＤＣＩ）、媒体アクセス制御（Medium Access Control:ＭＡＣ）制御要素（Control Element:ＣＥ））、及びデータのうちの少なくとも一つの混合体を搬送してよい。例えば一つのＳＩＢ１  ＴＢは、ＳＩＢ１コンテンツ及び制御情報を搬送してよく、別のＳＩＢ１  ＴＢは、ＳＩＢ１コンテンツ及びデータを搬送してもよい。例えばＳＩＢ１送信期間（例えばＳＩＢ１送信期間１０４）又はＳＩＢ１繰返し期間（例えばＳＩＢ１繰返し期間１０８）における最後のＳＩＢ１  ＴＢ（例えばＳＩＢ１  ＴＢ１０２＿Ｂ）のみが、制御情報又はデータを搬送してよい。
【００３７】
本開示のいくつかの実装形態において、ＳＩＢ１  ＴＢｓ１０２＿１から１０２＿Ｂは、時間領域において連続していてもよい。いくつかの他の実装形態において、ＳＩＢ１  ＴＢｓ１０２＿１  から１０２＿Ｂは、時間領域において連続していなくてもよい。いくつかの実装形態において、ＳＩＢ１  ＴＢｓ１０２＿１から１０２＿Ｂが連続していない場合、ＳＩＢ１  ＴＢｓ１０２＿１から１０２＿Ｂのうちの二つの間のギャップ（例えば二つの隣接するＳＩＢ１  ＴＢｓの間のギャップ）は、以前のＳＩＢ１  ＴＢ（複数可）、ＭＩＢ、及び制御リソースセット（Control Resource Set:ＣＯＲＥＳＥＴ）という項目の内の少なくとも一つによって事前に構成されてもよく、又はシグナリングされてもよい。いくつかの実装形態において、ＭＩＢ（又はＳＩＢ１又はＳＩＢ１のＣＯＲＥＳＥＴ）は、二つのＳＩＢ１  ＴＢｓの間のギャップを示してよく、二つのＳＩＢ１  ＴＢｓの間のギャップは、次のＭＩＢの前に送信される少なくとも一つのＳＩＢ１  ＴＢ（複数可）に適用されてよい。いくつかの他の実装形態において、二つのＳＩＢ１  ＴＢｓの間のギャップは、ＳＩＢ１繰返し期間（例えば図１に示されるＳＩＢ１繰返し期間１０８）内でＳＩＢ１  ＴＢｓに適用されてよい。ＳＩＢ１繰返し期間において、ＳＩＢ１コンテンツは変更されなくてよく、ＳＩＢ１送信は、すべてのＳＩＢ１送信期間（例えば図１に示されるＳＩＢ１送信期間１０４）内で繰り返されてよい。
【００３８】
本開示のいくつかの実装形態において、一つのＳＩＢ１  ＴＢは、それ自体と次回のＳＩＢ１  ＴＢ（複数可）との間のギャップをシグナルしてよい。これらのＳＩＢ１  ＴＢｓは、同じトランスポートチャンネル（例えばＤＬ−ＳＣＨ）に属してよい。例えばＳＩＢ１コンテンツが基地局又はセルによってＢ個のＳＩＢ１  ＴＢｓ（例えば図１に示されるＳＩＢ１  ＴＢｓ１０２＿１〜１０２＿Ｂ）に分割／配信される場合、ＵＥは、ＳＩＢ１コンテンツのすべてを受信するためにＢ個のＳＩＢ１  ＴＢｓを監視してよい。
【００３９】
本開示のいくつかの実装形態において、セルは、残存ＳＩＢ１コンテンツが次のＴＢ（複数可）に来ることを示すために、ＳＩＢ１  ＴＢ又はＭＩＢ内に少なくとも一つのビットを含んでよい。いくつかの他の実装形態において、セルは、このＳＩＢ１  ＴＢがＳＩＢ１コンテンツ全体を搬送するための最後のものであることを示すために、ＳＩＢ１  ＴＢ内に少なくとも一つのビットを含んでよい。
【００４０】
本開示のいくつかの実装形態において、ＳＩＢ１がいくつかのＳＩＢ１  ＴＢｓに分割されるとき、ＳＩＢ１送信期間（例えば図１に示されるＳＩＢ１送信期間１０４）は、これらのＳＩＢ１  ＴＢｓの最初のＳＩＢ１  ＴＢの開始から、これらのＳＩＢ１  ＴＢｓの最後のＳＩＢ１  ＴＢの終了までの時間期間と呼ばれることがある。これらのＳＩＢ１  ＴＢｓ（例えば図１に示されるＳＩＢ１送信期間１０４におけるＳＩＢ１  ＴＢｓ１０２＿１から１０２＿Ｂ）の繰返しは、ＳＩＢ１繰り返し期間（例えば図１に示されるＳＩＢ１繰返し期間）内で作られてよい。いくつかの実装形態において、ＳＩＢ１繰返し期間の長さは１６０ｍｓであってもよいが、これに限定されない。
【００４１】
本開示のいくつかの実装形態において、ＵＥは、ＳＩＢ１繰返し期間（例えばＳＩＢ１繰返し期間１０８）中にすべてのＳＩＢ１  ＴＢｓ（例えばＳＩＢ１  ＴＢｓ１０２＿１から１０２＿Ｂ）を監視し、受信してよい。いくつかの他の実装形態において、ＵＥは、完全なるＳＩＢ１コンテンツを構築するために、必須のＳＩＢ１  ＴＢｓを監視し、受信し、復号してよい。例えばＵＥがＳＩＢ１繰返し期間において第１のＢ  ＳＩＢ１  ＴＢｓを成功裏に監視し、受信し、復号した場合、ＵＥは、このＳＩＢ１繰返し期間において残存ＳＩＢ１  ＴＢｓを監視（又は受信）することをスキップしてよい。他のいくつかの実装形態において、ＵＥは、必須のコンテンツを構築するために必須のＳＩＢ１  ＴＢｓを監視してよい。例えばＵＥが、成功裏に、あるＳＩＢ１  ＴＢ（複数可）の監視、受信、及び復号した場合、ＳＩＢ１繰返し期間中に必須のＳＩＢ１コンテンツ（例えばセル選択情報）を構築した場合、ＵＥは、このＳＩＢ１繰返し期間中に残存ＳＩＢ１  ＴＢ（複数可）の監視（又は受信）をスキップしてよい。
【００４２】
本開示のいくつかの実装形態において、ＭＩＢは、以下のパラメータの少なくとも一つを示してよい：
１）値Ｂ（例えばＳＩＢ１送信期間におけるＳＩＢ１  ＴＢｓの数）
２）ＳＩＢ１繰返し期間、及び
３）ＳＩＢ１送信期間。
【００４３】
いくつかの他の実装形態において、ＭＩＢは、上述したパラメータ（例えば値Ｂ、ＳＩＢ１繰返し期間、及びＳＩＢ１送信期間）の内の少なくとも一つを搬送してよい。
【００４４】
いくつかの他の実装形態において、ＭＩＢは、上述したパラメータ（例えば値Ｂ、ＳＩＢ１繰返し期間、及びＳＩＢ１送信期間）の内の少なくとも一つを搬送するためのリソース（例えばＣＯＲＥＳＥＴ、物理的下りリンク制御チャンネル（ＰＤＣＣＨ）、又はＰＤＳＣＨ）を示すことができる。
【００４５】
いくつかの他の実装形態において、各ＳＩＢ１  ＴＢは、ＳＩＢ１送信期間を示してよい。例えば各ＳＩＢ１  ＴＢは、ＳＩＢ１送信期間、値Ｂ、及びＳＩＢ１繰返し期間の内の少なくとも一つのインディケイション（複数可）を搬送してよい。例えば各ＳＩＢ１  ＴＢは、ＳＩＢ１送信期間、値Ｂ、及びＳＩＢ１繰返し期間の少なくとも一つのインディケイション（複数可）を搬送するためのリソース（例えばＣＯＲＥＳＥＴ又はＰＤＣＣＨ）を示してよい。
【００４６】
いくつかの他の実装形態において、ＳＩＢ１送信期間中の第１のＳＩＢ１  ＴＢ（例えば図１に示されるＳＩＢ１  ＴＢ１０２＿１）は、ＳＩＢ１送信期間、値Ｂ、及びＳＩＢ１繰返し期間の少なくとも一つのインディケイション（複数可）を示してよい。例えばＳＩＢ１送信期間における第１のＳＩＢ１  ＴＢは、ＳＩＢ１送信期間、値Ｂ、及びＳＩＢ１繰返し期間のうちの少なくとも一つの表示（複数可）を搬送してよい。例えばＳＩＢ１送信期間における第１のＳＩＢ１  ＴＢは、ＳＩＢ１送信期間、値Ｂ、及びＳＩＢ１繰返し期間の少なくとも１つのインディケイション（複数可）を搬送するためのリソース（例えばＣＯＲＥＳＥＴ又はＰＤＣＣＨ）を示してよい。
【００４７】
いくつかの他の実装形態において、ＳＩＢ１繰返し期間中の第１のＳＩＢ１  ＴＢは、ＳＩＢ１送信期間、値Ｂ、及びＳＩＢ１繰返し期間のうちの少なくとも１つを示してよい。例えばＳＩＢ１繰返し期間における第１のＳＩＢ１  ＴＢは、ＳＩＢ１送信期間、値Ｂ、及びＳＩＢ１繰返し期間の内の少なくとも一つのインディケイション（複数可）を搬送してよい。例えばＳＩＢ１繰返し期間における第１のＳＩＢ１  ＴＢは、ＳＩＢ１送信期間、値Ｂ、及びＳＩＢ１繰返し期間の少なくとも一つのインディケイション（複数可）を搬送するためのリソース（例えばＣＯＲＥＳＥＴ又はＰＤＣＣＨ）を示してよい。
【００４８】
本開示のいくつかの実装形態において、すべてのＳＩＢ１  ＴＢｓは、ＭＩＢによって示される同じＣＯＲＥＳＥＴ構成を適用してよい。ＭＩＢによって示されるＣＯＲＥＳＥＴ設定を受信した後、ＵＥは、ＳＩＢ１  ＴＢｓを監視してもよい。ＭＩＢによって示されるＣＯＲＥＳＥＴ設定は、すべてのＢ  ＳＩＢ１  ＴＢｓのリソース割り当てを提供してよい。いくつかの実装形態において、＃ｎ  ＳＩＢ１  ＴＢは、＃ｎ＋１  ＳＩＢ１  ＴＢのＣＯＲＥＳＥＴを示してよい。＃ｎ  ＳＩＢ１  ＴＢに示されたＣＯＲＥＳＥＴ構成を受信した後、ＵＥは、＃ｎ＋１  ＳＩＢ１  ＴＢを監視してよい。＃ｎ  ＳＩＢ１  ＴＢによって示されるＣＯＲＥＳＥＴ構成は、＃ｎ＋１  ＳＩＢ１  ＴＢのリソース割り当てを提供してよい。
【００４９】
〔セル選択情報〕
【００５０】
本開示のいくつかの実装形態において、ＳＩＢ１は、セル（再）選択のためのパラメータを示すシステム情報を含んでよい。いくつかの実装形態において、このようなセル選択情報は、情報要素（Information Element:ＩＥ）（例えばｃｅｌｌＳｅｌｅｃｔｉｏｎＩｎｆｏ  ＩＥ）内に搬送されてよい。セルからＳＩＢ１を受信すると、ＲＲＣ＿ＩＤＬＥ、ＲＲＣ＿ＩＮＡＣＴＩＶＥ、又はＲＲＣ＿ＣＯＮＮＥＣＴＥＤ状態で動作しているＵＥは、受信したＳＩＢ１を記憶してよい。ＵＥは、基地局又はセルによってブロードキャストされたＳＩＢ１からセル選択情報を読み取り、あるルール及び／又は基準（例えばセル選択基準Ｓ）に基づいて、キャンプオン／アクセスするセルを選択するかどうかを決定してよい。
【００５１】
本開示のいくつかの実装形態において、ＵＥは、ＵＥがセルカバレッジの電源をオンにするか、又はセルカバレッジの外に移動するとき、セル選択を実行してよい。ＵＥは、どの無線周波数（Radio Frequency:ＲＦ）チャンネルが無線アクセス技術（Radio Access Technology:ＲＡＴ）周波数（例えばＬＴＥ周波数、ＮＲ周波数）であるかの事前知識なしに、初期セル選択を遂行してよい。ＵＥは、記憶された情報を活用することによって、セル選択を遂行してよい。セル選択は、ＵＥが通信サービスを受信することができる適切なセルを、ＵＥが検索してよいプロセスを指すことができる。いくつかの実装形態において、セルが１つ以上のセル選択基準（例えばセル選択基準Ｓ）を満たす場合、セルは、適切なセルと見なされ得る。本セルがＵＥの選択されたＰＬＭＮ又はＵＥの登録されたＰＬＭＮ、又はＵＥの等価ＰＬＭＮリストのＰＬＭＮのいずれか一部であり、トラッキングエリアコード（tracking area code:ＴＡＣ）がそのＰＬＭＮのためにセルによって提供される場合、セルは、適切なセルと見なされてよい。適切なセルが見つかった場合、ＵＥは、このセルにキャンプオン及び／又はアクセスしてよい。さらに、いくつかの実装形態において、セル再選択は、チャンネル条件が変化するとき、ＵＥが最良又はより良好なセルにキャンプオンすることを可能にするプロセスを示してよい。例えばＵＥがサービングセルにキャンプオンしている間、ＵＥは、セル再選択基準に従って、より良いセルを定期的に検索してよい。より良いセルが見つかった場合、ＵＥは、より良いセルを新しいサービングセルとして（再）選択し、このセルにキャンプオン及び／又はアクセスすることができる。
【００５２】
本開示のいくつかの実装形態において、セル選択基準Ｓが満たされる場合、選択されたセルは、セル選択受信（ＲＸ）レベル値（ｄＢ）（例えばＳｒｘｌｅｖ）及びセル選択品質値（ｄＢ）（例えばＳｑｕａｌ）の両方が正であるという条件に一致してよい。
【００５３】
いくつかの実装形態において、セル選択受信レベル値（ｄＢ）（例えばＳｒｘｌｅｖ）は、以下の式（１）に示されるように、「測定されたセル受信レベル値（例えば基準信号受信電力（ＲＳＲＰ）、Ｑｒｘｌｅｖｍｅａｓ）」から「セル内の必要最小限の受信レベル（ｄＢｍ）（例えばＱｒｘｌｅｖｍｉｎ）」を引き、「より高い優先順位のＰＬＭＮについての周期的な検索の結果としてＳｒｘｌｅｖの評価において考慮されるシグナリングされたＱｒｘｌｅｖｍｉｎへのオフセット」を引いたものに等しくてもよく、一方、ＵＥは、仮想ＰＬＭＮ（Virtual PLMN:ＶＰＬＭＮ）（例えばＱｒｘｌｅｖｍｉｎｏｆｆｓｅｔ）内のセルに通常キャンプオンしている間、「電力補正値（例えばＰｃｏｍｐｅｎｓａｔｉｏｎ）」から、「セルに一時的に適用されるオフセット（例えばＱｏｆｆｓｅｔｔｅｍｐ）」を引いたものに等しいが、これに限定されない。
【００５４】
他方で、セル選択品質値（Ｓｑｕａｌ）は、以下の式（２）に示すように、「測定されたセル品質値（例えば基準信号受信品質（ＲＳＲＱ）又はＱｑｕａｌｍｅａｓ）」から、「セル内の必要最小限の品質水準（ｄＢ）（例えばＱｑｕａｌｍｉｎ）」を引き、「ＵＥがＶＰＬＭＮ（例えばＱｑｕａｌｍｉｎｏｆｆｓｅｔ）内のセルに正常にキャンプオンしている間、より高い優先順位のＰＬＭＮのための周期的な検索の結果としてのＳｑｕａｌ評価において考慮されるシグナルされたＱｑｕａｌｍｉｎへのオフセット」を引き、「セルに一時的に適用されるオフセット（例えばＱｏｆｆｓｅｔｔｅｍｐ）」を引いたものに等しくてもよいが、これに限定されない。
【００５５】
本開示のいくつかの実装形態において、（例えば表１に示されるように）セル選択受信レベル値及びセル選択品質値を計算するために要求されるパラメータは、ＵＥに事前構成されてもよく、又は基地局又はＳＩＢ１内のセルによって、ＵＥにブロードキャストされてもよい。いくつかのパラメータがＵＥに事前構成され、いくつかのパラメータがＵＥの実装形態に基づいて決定され、いくつかのパラメータは、ＳＩＢ１内の基地局又はセルによって、ＵＥにブロードキャストされる可能性がある。いくつかの実装形態において、ＵＥが異なる基地局又はセルからブロードキャスト又はユニキャストされたいくつかのパラメータを記憶し、使用することが可能である。例えばシグナルされた値Ｑｒｘｌｅｖｍｉｎｏｆｆｓｅｔ及びＱｑｕａｌｍｉｎｏｆｆｓｅｔは、ＵＥが通常ＶＰＬＭＮ内のセルにキャンプする間、より高い優先順位のＰＬＭＮの周期的な検索の結果として、セルがセル選択のために評価され、採用されてよい。より高い優先順位のＰＬＭＮを周期的に検索する間、ＵＥは、より高い優先順位のＰＬＭＮの異なるセルから取得されたパラメータ値を使用して、セルのセル選択基準Ｓをチェックしてよい。
【００５６】
いくつかの実装形態において、セル選択基準Ｓの詳細な公式及びパラメータが以下の式及び表１に示すことができる。
【００５７】
Ｓｒｘｌｅｖ＝Ｑｒｘｌｅｖｍｅａｓ−（Ｑｒｘｌｅｖｍｉｎ＋Ｑｒｘｌｅｖｍｉｎｏｆｆｓｅｔ）−Ｐｃｏｍｐｅｎｓａｔｉｏｎ−Ｑｏｆｆｓｅｔｔｅｍｐ      式（１）
【００５８】
Ｓｑｕａｌ＝Ｑｑｕａｌｍｅａｓ−（Ｑｑｕａｌｍｉｎ＋Ｑｑｕａｌｍｉｎｏｆｆｓｅｔ）−Ｑｏｆｆｓｅｔｔｅｍｐ      式（２）
【００５９】
ここで、
【表１】
2021526342.tif 000003
【００６０】
表１において、ＮＳ−ＰｍａｘＬｉｓｔは、追加のＰｍａｘ値及び追加のスペクトル放射値のリストを含んでよく、ここでＰｍａｘ値は、ＵＥのＵＬ送信電力をキャリア周波数上に制限するために使用されてもよい。ＰＰｏｗｅｒＣｌａｓｓは、伝送帯域幅に対する最大ＵＥ出力電力であってもよく、ここで、ＰＰｏｗｅｒＣｌａｓｓは、いかなる許容値も考慮しても、しなくてもよい。ＰＥＭＡＸ１とＰＥＭＡＸ２は、電力値であってよい。ある実装形態において、ＮＳ−ＰｍａｘＬｉｓｔ、ＰＰｏｗｅｒＣｌａｓｓ、ＰＥＭＡＸ１及びＰＥＭＡＸ２は、ＳＩＢ１、他のシステム情報（例えばＳＩＢ１以外のＳＩＢ（複数可）を含んでいる）、又はＲＲＣ信号によって信号を送られてよい。
【００６１】
本明細書で説明されるセル選択基準（例えばセル選択基準Ｓ）は、例示の目的のためだけのものであり、本発明の範囲を限定することを意図するものではないことに留意されたい。セル選択基準の説明は、多くの変形及び代替形態を示唆することができる。例えば一つ以上のパラメータは、上記のＳｒｘｌｅｖ及び／又はＳｑｕａｌの公式に導入／削除することができるが、それは、セル選択基準が必要最小限の受信レベル（例えばＱｒｘｌｅｖｍｉｎ）から直接的又は間接的に導出することができるという条件である。
【００６２】
本開示のいくつかの実装形態において、ＵＥは、基地局又はセルによって送信されたシステム情報を介して、必要最小限の受信レベルファクタ（例えばｑ−ＲｘＬｅｖＭｉｎ）を受信してよい。そのような実装形態のいくつかにおいて、ｑ−ＲｘＬｅｖＭｉｎ−ｓｕｌは、必要最小限の受信レベルファクタ（例えばｑ−ＲｘＬｅｖＭｉｎ）へのオフセットの形式であってもよい。そのようなオフセットは、基地局又はセルによって送信されるＳＩＢ３及び／又はＳＩＢ４において提示されてよい。ＵＥは、必要最小限の受信レベルファクタ（例えばＱ−ＲｘＬｅｖＭｉｎ）及びＹ（例えばＹ×Ｑ−ＲｘＬｅｖＭｉｎ−ｓｕｌ）を乗じたオフセット、ここでＹは整数である、に基づいて、必要最小限の受信レベル（例えばｑ−ＲｘＬｅｖＭｉｎ）を取得してもよい。そのような実装形態のいくつかにおいて、Ｙは１より大きい整数であってよい。ＵＥは、次にＱｒｘｌｅｖｍｉｎに基づいて、セル選択基準Ｓを決定し、セル選択基準Ｓに基づいて、セル再選択を遂行することができる。
【００６３】
本開示の他のいくつかの実装形態において、ｑ−ＲｘＬｅｖＭｉｎ−ｓｕｌは、絶対値の形式であってよい。そのような実装形態のいくつかにおいて、ＵＥは、ｑ−ＲｘＬｅｖＭｉｎ−ｓｕｌ（例えば絶対値の形式）又はｑ−ＲｘＬｅｖＭｉｎのいずれかに基づいて、必要最小限の受信レベル（例えばＱｒｘｌｅｖｍｉｎ）を取得してよい。
【００６４】
本明細書に記載されるｑ−ＲｘＬｅｖＭｉｎ−ｓｕｌは、別段の指示がない限り、オフセットの形式であっても、絶対値の形式であってもよいことに留意されたい。
【００６５】
いくつかの他の実装形態において、ＵＥがセルのためのＳＵＬ周波数をサポートする場合、及び／又はｑ−ＲｘＬｅｖＭｉｎ−ｓｕｌが基地局又はセルによってＳＩＢ１内でブロードキャストされる場合、ＵＥは、セルの基地局によってブロードキャストされたｑ−ＲｘＬｅｖＭｉｎ−ｓｕｌから取得されたＱｒｘｌｅｖｍｉｎを計算してよい。
【００６６】
いくつかの他の実装形態において、ＵＥがセルのためのＳＵＬ周波数をサポートする場合、及びｑ−ＲｘＬｅｖＭｉｎ−ｓｕｌが基地局又はセルによってＳＩＢ１においてブロードキャストされない場合、ＵＥは、記憶されたｑ−ＲｘＬｅｖＭｉｎ−ｓｕｌから取得されたＱｒｘｌｅｖｍｉｎを、計算してよい。記憶されたｑ−ＲｘＬｅｖＭｉｎ−ｓｕｌは、他の基地局又はセルから取得してよい。例えば記憶されたｑ−ＲｘＬｅｖＭｉｎ−ｓｕｌは、ＵＥが以前に選択又はキャンプオンした別のセルから取得してもよい。例えば記憶されたｑ−ＲｘＬｅｖＭｉｎ−ｓｕｌは、隣接セルから取得されてよい。いくつかの実装形態において、隣接セルは、ＵＥが正のセル選択受信レベル値及び正のセル選択品質値を有するセルとすることができる。いくつかの実施形態において、ＳＩＢ１においてｑ−ＲｘＬｅｖＭｉｎ−ｓｕｌをブロードキャスト／送信しなくてもよい別のセルのセル選択基準Ｓを評価するとき、ＵＥは、セル選択基準Ｓを満たす一つのセルからｑ−ＲｘＬｅｖＭｉｎ−ｓｕｌを採用してよい。いくつかの実装形態において、ｑ−ＲｘＬｅｖＭｉｎ−ｓｕｌは、隣接セルによってブロードキャスト又はユニキャストされてもよい。
【００６７】
本開示のいくつかの実装形態において、ＵＥが二つ以上のｑ−ＲｘＬｅｖＭｉｎ−ｓｕｌ値を記憶する場合、Ｑｒｘｌｅｖｍｉｎを計算するために、記憶されたｑ−ＲｘＬｅｖＭｉｎ−ｓｕｌ値の内の一つをｑ−ＲｘＬｅｖＭｉｎ−ｓｕｌとして選択することはＵＥの実装形態しだいであってよい。いくつかの他の実装形態において、ＵＥが二つ以上の記憶されたｑ−ＲｘＬｅｖＭｉｎ−ｓｕｌ値を有する場合、ＵＥは、Ｑｒｘｌｅｖｍｉｎを計算するために、ｑ−ＲｘＬｅｖＭｉｎ−ｓｕｌとして記憶されたｑ−ＲｘＬｅｖＭｉｎ−ｓｕｌ値の中で最低又は最高のｑ−ＲｘＬｅｖＭｉｎ−ｓｕｌ値を使用してよい。いくつかの他の実装形態において、ＵＥが二つ以上のｑ−ＲｘＬｅｖＭｉｎ−ｓｕｌ値を獲得又は記憶する場合、ＵＥはＱｒｘｌｅｖｍｉｎを計算するために獲得又は記憶されたｑ−ＲｘＬｅｖＭｉｎ−ｓｕｌ値の平均をｑ−ＲｘＬｅｖＭｉｎ−ｓｕｌとして使用してよい。いくつかの態様において、ＵＥが（ｑ−ＲｘＬｅｖＭｉｎ−ｓｕｌ及びｑ−ＲｘＬｅｖＭｉｎをブロードキャストしなくてよい）セルのためのセル選択基準Ｓを評価するとき、ＵＥがどのようにｑ−ＲｘＬｅｖＭｉｎ−ｓｕｌを適用するかの機構（例えば獲得されたｑ−ＲｘＬｅｖＭｉｎ−ｓｕｌ値に基づいて、記憶されたｑ−ＲｘＬｅｖＭｉｎ−ｓｕｌ値に基づいて、隣接するセル（複数可）のｑ−ＲｘＬｅｖＭｉｎ−ｓｕｌ値に基づいて、）も、セル選択基準評価プロセスにおいて適用されてもよいことに留意されたい。
【００６８】
本開示のいくつかの実装形態において、ＵＥがｑ−ＲｘＬｅｖＭｉｎ−ｓｕｌ値（複数可）を記憶せず、任意のセル（例えばサービングセル、キャンプされたセル、隣接するセル）からｑ−ＲｘＬｅｖＭｉｎ−ｓｕｌ値を獲得できない場合、ＵＥは、デフォルトのｑ−ＲｘＬｅｖＭｉｎ−ｓｕｌ値を使用してよい。いくつかの実装形態において、デフォルトのｑ−ＲｘＬｅｖＭｉｎ−ｓｕｌ値が事前構成されているか、事前定義されていてよい。いくつかの実装形態において、デフォルトのｑ−ＲｘＬｅｖＭｉｎ−ｓｕｌ値が通常のＵＬキャリアのためのｑ−ＲｘＬｅｖＭｉｎ値であってよい。ｑ−ＲｘＬｅｖＭｉｎ値は、通常のＵＬキャリア上のセル（ｄＢｍ）において必要最小限の受信レベルであってよい。いくつかの実装形態において、ＳＵＬキャリアと比較して、通常のＵＬキャリアカバレッジは、より小さくなってよい。いくつかの実装形態において、ＳＵＬキャリアと比較して、通常のＵＬキャリア周波数は、ＳＵＬキャリアの周波数よりも高い。
【００６９】
本開示のいくつかの実装形態において、ＵＥがセルのためのＳＵＬ周波数をサポートする場合、及び／又はｑ−ＲｘＬｅｖＭｉｎ−ｓｕｌがこのセルによってＳＩＢ１においてブロードキャストされない場合、ＵＥは、通常のＵＬキャリアのためのｑ−ＲｘＬｅｖＭｉｎによる第１のＱｒｘｌｅｖｍｉｎを計算し、第１のＱｒｘｌｅｖｍｉｎに基づいて、第１のセル選択基準Ｓを決定し、第１のセル選択基準Ｓに基づいて、セル選択を遂行することができる。
【００７０】
一旦、ＵＥがセル選択中にそのようなセルを選択すると、ＵＥは更に、ＲＲＣメッセージ（例えばＲＲＣシステム情報要求メッセージ）をセルに送信し、ｑ−ＲｘＬｅｖＭｉｎ−ｓｕｌを求めてよい。ｑ−ＲｘＬｅｖＭｉｎ−ｓｕｌは、セル特有であってよい。ＵＥは、同一周波数セル再選択、異周波数セル再選択、及びＲＡＴ間セル再選択のためにｑ−ＲｘＬｅｖＭｉｎ−ｓｕｌ値を使用してよい。いくつかの実装形態において、同一周波数セル再選択の手順は、ＵＥがサービングセルの周波数と同じ周波数上で他のセルを選択してよいプロセスを指すことができる。いくつかの実装形態において、異周波数セル再選択は、ＵＥがサービングセルの周波数とは異なる周波数上で他のセルを選択してよいプロセスを指すことができる。いくつかの実装形態において、ＲＡＴ間周波数手順は、ＵＥがサービングセルとは異なるＲＡＴに属する隣接セルへのセル再選択を遂行してよいプロセスを指すことができる。そして、ＲＡＴ間周波数におけるセルは、ＲＡＴ間セルと呼ばれてよい。
【００７１】
一旦、ＵＥがｑ−ＲｘＬｅｖＭｉｎ−ｓｕｌを獲得すると、ＵＥは、ｑ−ＲｘＬｅｖＭｉｎ−ｓｕｌによる第２のＱｒｘｌｅｖｍｉｎを計算し、第２のＱｒｘｌｅｖｍｉｎに基づいて、第２のセル選択基準Ｓを決定し、第２のセル選択基準Ｓに基づいて、セル（再）選択（例えば同一周波数セル再選択、異周波数セル再選択、又はＲＡＴセル間再選択）を遂行することができる。
【００７２】
本開示のいくつかの実装形態において、基地局（又はセル）がＳＩＢ１におけるＵＥにｑ−ＲｘＬｅｖＭｉｎを送信し、ＵＥからのＲＲＣシステム情報要求メッセージの受信に応答して、他のシステム情報中でＳＵＬ関連ファクタ（例えば絶対値の形式のｑ−ＲｘＬｅｖＭｉｎ−ｓｕｌ）を更に送信することができる。
【００７３】
セルがＳＩＢ１におけるｑ−ＲｘＬｅｖＭｉｎ−ｓｕｌを含まない理由は、セルがＳＵＬをサポートするにもかかわらず、ＳＩＢ１のサイズを小さくするためであってよい。しかしながら、ＵＥがＲＲＣメッセージ（例えばＲＲＣシステム情報要求メッセージ）を介して、セルからｑ−ＲｘＬｅｖＭｉｎ−ｓｕｌを要求し、セルからｑ−ＲｘＬｅｖＭｉｎ−ｓｕｌを成功裏に獲得した場合、ＵＥは、ｑ−ＲｘＬｅｖＭｉｎ−ｓｕｌを考慮することによって、セル選択基準Ｓが満たされたとき、セルのＳＵＬを使用してよい。いくつかの実装形態において、セルが他のシステム情報（例えばＳＩＢ１以外のＳＩＢ（複数可）を含んでいる）又はＲＲＣメッセージ（例えばＲＲＣ再構成メッセージ）にｑ−ＲｘＬｅｖＭｉｎ−ｓｕｌを提供する場合、セルは、ＵＥにＳＵＬキャリアに切り替えるように求めてもよいことを意味する。例えば他のシステム情報を介して、又はＲＲＣメッセージを介して、ｑ−ＲｘＬｅｖＭｉｎ−ｓｕｌを受信すると、ＵＥは、セルのＳＵＬキャリアに切り替えてもよい。別の例において、他のシステム情報を介して、又はＲＲＣメッセージを介してｑ−ＲｘＬｅｖＭｉｎ−ｓｕｌを受信すると、ＵＥはＳＵＬキャリアについてセル選択基準Ｓの評価を遂行してよい。セル選択基準Ｓが満たされる場合、ＵＥは、ＳＵＬキャリアに切り替えてよい。その理由は、通常のＵＬキャリアオフロードの目的のためであってよい。他のいくつかの実装形態において、セルがＳＩＢ１内のｑ−ＲｘＬｅｖＭｉｎをブロードキャストしない場合、ＵＥは、ＲＲＣメッセージ（例えばＲＲＣシステム情報要求メッセージ）を介して、基地局又はセルからｑ−ＲｘＬｅｖＭｉｎを要求してもよい。
【００７４】
ＵＥがセルからｑ−ＲｘＬｅｖＭｉｎを成功裏に獲得し、ｑ−ＲｘＬｅｖＭｉｎ値を計算することによってセル選択基準Ｓが満たされる場合、ＵＥは、通常のＵＬキャリアへ切り替えてもよい。いくつかの他の実装形態において、セルが他のシステム情報（例えばＳＩＢ１以外のＳＩＢ（複数可）を含んでいる）又はＲＲＣメッセージ（例えばＲＲＣ再構成メッセージ）においてｑ−ＲｘＬｅｖＭｉｎを提供する場合、セルは、ＵＥに通常のＵＬキャリアに切り替えるように求めることを意味する。ｑ−ＲｘＬｅｖＭｉｎがセル選択基準Ｓに一致する場合、ＵＥは、通常のＵＬキャリアに切り替えてもよい。例えば他のシステム情報を介して、又はＲＲＣメッセージを介して、ｑ−ＲｘＬｅｖＭｉｎを受信すると、ＵＥは、セルの通常のＵＬキャリアに切り替えてよい。別の例において、他のシステム情報を介して、又はＲＲＣメッセージを介して、ｑ−ＲｘＬｅｖＭｉｎを受信すると、ＵＥは、通常のＵＬキャリアのためのセル選択基準Ｓ評価を遂行することができる。セル選択基準Ｓが満たされる場合、ＵＥは、通常のＵＬキャリアに切り替えてよい。
【００７５】
ＳＩＢ１内のｑ−ＲｘＬｅｖＭｉｎを示すフィールドは、数ビットを必要としてよい。ビットの数は、ｑ−ＲｘＬｅｖＭｉｎ値の可能な範囲次第である。例えばｑ−ＲｘＬｅｖＭｉｎ値は、−７０〜−２２（ｄＢｍ）の値の範囲の整数であってよい。いくつかの実装形態において、ｑ−ＲｘＬｅｖＭｉｎ−ｓｕｌ値は、ｑ−ＲｘＬｅｖＭｉｎ値と同じ範囲に入る可能性がある。いくつかの実装形態において、ＳＩＢ１サイズを減少するために、ｑ−ＲｘＬｅｖＭｉｎ−ｓｕｌ値を更に減少してよい。いくつかの実装形態において、ｑ−ＲｘＬｅｖＭｉｎ及びｑ−ＲｘＬｅｖＭｉｎ−ｓｕｌが同じ値を持つ場合、セルは、ｑ−ＲｘＬｅｖＭｉｎ（又はｑ−ＲｘＬｅｖＭｉｎ−ｓｕｌ）及び特定の指標（例えば１ビット指標）を、ｑ−ＲｘＬｅｖＭｉｎとｑ−ＲｘＬｅｖＭｉｎ−ｓｕｌが同じ値を持つことを示すために、ブロードキャストしてよい。例えば特定のインジケータが「真」にセットされるか、又はＳＩＢ１内に存在する場合、ＵＥは、ｑ−ＲｘＬｅｖＭｉｎ及びｑ−ＲｘＬｅｖＭｉｎ−ｓｕｌの値が同じであることを知ってよく、ＵＥは、セル／基地局からｑ−ＲｘＬｅｖＭｉｎ又はｑ−ＲｘＬｅｖＭｉｎ−ｓｕｌを更に要求しなくてよい。
【００７６】
本開示のいくつかの実装形態において、ｑ−ＲｘＬｅｖＭｉｎ−ｓｕｌ値は、ｑ−ＲｘＬｅｖＭｉｎ値に対するオフセットの形態であってよい。例えば式「ｑ−ＲｘＬｅｖＭｉｎからｑ−ＲｘＬｅｖＭｉｎ−ｓｕｌを引く」（ｄＢｍ中）は、セル内のＳＵＬのための必要最小限の受信レベルを表してよい。例えば式「ｑ−ＲｘＬｅｖＭｉｎからｑ−ＲｘＬｅｖＭｉｎ−ｓｕｌを引く」（ｄＢｍ中）は、セル内の通常ＳＵＬキャリアのための必要最小限の受信レベルを表してよい。いくつかの実装形態において、ｑ−ＲｘＬｅｖＭｉｎ−ｓｕｌの値は、０、１、２、・・・、Ｘであってよく、ここでＸがｑ−ＲｘＬｅｖＭｉｎ−ｓｕｌのビット数を決定してよい。いくつかの他の実装形態において、ｑ−ＲｘＬｅｖＭｉｎ−ｓｕｌの値は、０、−１、−２、・・・、−Ｘであってよく、式「ｑ−ＲｘＬｅｖＭｉｎにｑ−ＲｘＬｅｖＭｉｎ−ｓｕｌを足す」（ｄＢｍ中）は、セル内のＳＵＬのための必要最小限の受信レベルを表してよい。いくつかの他の実装形態において、ｑ−ＲｘＬｅｖＭｉｎ−ＳＵＬの値は、０、−１、−２、・・・、−Ｘであってよく、式「ｑ−ＲｘＬｅｖＭｉｎにｑ−ＲｘＬｅｖＭｉｎ−ｓｕｌを足す」（ｄＢｍ中）は、セル内の通常のＵＬキャリアに必要最小限の受信レベルを表してよい。
【００７７】
本開示のいくつかの実装形態において、ＳＩＢ１サイズを更に減少するために、式「ｑ−ＲｘＬｅｖＭｉｎに「Ｙかけるｑ−ＲｘＬｅｖＭｉｎ−ＳＵＬ」を引く／足す」（ｄＢｍ中）は、セル内のＳＵＬのための必要最小限の受信レベルを表してよく、ここでＹは、ＳＩＢ１内で事前定義される又はブロードキャストされてよい。いくつかの実装形態において、Ｙは整数であってよい。いくつかの実装形態において、Ｙは、１より大きい整数であってよい。いくつかの実装形態において、式「ｑ−ＲｘＬｅｖＭｉｎに「Ｙかけるｑ−ＲｘＬｅｖＭｉｎ−ｓｕｌ」を引く／足す」（ｄＢｍ中）は、セル内の通常ＵＬキャリアのための必要最小限の受信レベルを表してよい。
【００７８】
本開示のいくつかの実装形態において、ｑ−ＲｘＬｅｖＭｉｎ−ｓｕｌがシステム情報（例えばＳＩＢ１、ＳＩＢ２、ＳＩＢ３、ＳＩＢ４、ＳＩＢ５）中に存在しない場合、ＵＥは、ｑ−ＲｘＬｅｖＭｉｎ−ｓｕｌ及びｑ−ＲｘＬｅｖＭｉｎは、同じ値を有してよいと考えてよく、ＵＥは、ＳＵＬのためのｑ−ＲｘＬｅｖＭｉｎ値に基づいて、Ｑｒｘｌｅｖｍｉｎを取得してよい。いくつかの他の実装形態において、ｑ−ＲｘＬｅｖＭｉｎ−ｓｕｌがシステム情報（例えばＳＩＢ１、ＳＩＢ２、ＳＩＢ３、ＳＩＢ４、ＳＩＢ５）に存在しない場合、ＵＥは、ＳＵＬがサポートされていないと見なしてよく、ＵＥは、通常ＵＬキャリアのためのｑ−ＲｘＬｅｖＭｉｎに基づいて、Ｑｒｘｌｅｖｍｉｎを取得してよい。いくつかの他の実装形態において、ｑ−ＲｘＬｅｖＭｉｎ−ｓｕｌがシステム情報（例えばＳＩＢ１、ＳＩＢ２、ＳＩＢ３、ＳＩＢ４、ＳＩＢ５）に存在しない場合、ＵＥは、ｑ−ＲｘＬｅｖＭｉｎ−ｓｕｌ値がｑ−ＲｘＬｅｖＭｉｎ値と異なると見なしてよく、ＵＥは、ｑ−ＲｘＬｅｖＭｉｎ−ｓｕｌをセル又は基地局に要求してよく、又はｑ−ＲｘＬｅｖＭｉｎ−ｓｕｌを、他のシステム情報（例えばＳＩＢ２、ＳＩＢ３、ＳＩＢ４、ＳＩＢ５）又はＲＲＣメッセージ（例えばＲＲＣ再構成メッセージ）で読み込んでよい。
【００７９】
本開示のいくつかの実装形態において、基地局又はセルが、システム情報を介して、必要最小限の受信レベルファクタ（例えばｑ−ＲｘＬｅｖＭｉｎ）及びオフセット（例えばオフセットの形態でｑ−ＲｘＬｅｖＭｉｎ−ｓｕｌ）を送信してよく、ここでオフセットは、ＵＥから基地局によって受信されたＲＲＣシステム情報要求メッセージに応答して送信してよい。例えばＵＥは、ＲＲＣメッセージ（例えばＲＲＣシステム情報要求メッセージ）を送ることによって、又はｑ−ＲｘＬｅｖＭｉｎ−ｓｕｌの要求に関連するプリアンブルを送ることによって、セル又は基地局からｑ−ＲｘＬｅｖＭｉｎ−ｓｕｌを要求してよい。
【００８０】
本開示のいくつかの実装形態において、ＵＥがセル中のＳＵＬキャリア又は通常ＵＬキャリアのための必要最小限の受信レベルを決定するために使用してよいパラメータ（例えばＸ、Ｙ、又はｑ−ＲｘＬｅｖＭｉｎ−ｓｕｌ）は、セル（例えばキャンプされたセル、サービングセル）又は他のシステム情報内の基地局（例えばＳＩＢ２、ＳＩＢ３、ＳＩＢ４、ＳＩＢ５）又はＲＲＣメッセージ（例えばＲＲＣ再構成メッセージ）によって送信されてよい。いくつかの実装形態において、ＵＥが特定のセル（複数可）（例えば隣接セル）から、ＳＵＬキャリア又はセル内の通常ＵＬキャリアのための必要最小限の受信レベルを決定するためにＵＥが使用してよいパラメータ（例えばＸ、Ｙ、又はｑ−ＲｘＬｅｖＭｉｎ−ｓｕｌ）を獲得してよい。
【００８１】
本開示のいくつかの実装形態において、特定のインジケータ及び／又はｑ−ＲｘＬｅｖＭｉｎ−ｓｕｌは、ＳＩＢ１に適用されることに限定されなくてよい。例えば特定のインジケータ及び／又はｑ−ＲｘＬｅｖＭｉｎ−ｓｕｌは、ＳＩＢｓのサイズを減少するために、他のシステム情報内のパラメータ／情報に適用されてよい。いくつかの実装形態において、ＳＩＢｓは、周期的ブロードキャスト、ワンショットブロードキャスト、又は専用信号を介して、ＵＥ（複数可）に、セル又は基地局によって送信されてよい。いくつかの実装形態において、ＵＥは、オンデマンドでＳＩＢを要求してよい。いくつかの実装形態において、ｑ−ＲｘＬｅｖＭｉｎ−ｓｕｌは、同一周波数セル再選択情報（例えばシステム情報ブロック２（System Information Block 2:ＳＩＢ２）内のｉｎｔｒａＦｒｅｑＣｅｌｌＲｅｓｅｌｅｃｔｉｏｎＩｎｆｏ  ＩＥ）内のセル又は基地局によってＵＥ（複数可）に送信されてよい。いくつかの実装形態において、ｑ−ＲｘＬｅｖＭｉｎ−ｓｕｌは、同一周波数セル再選択（例えばシステム情報ブロック３（System Information Block 3:ＳＩＢ３）内のｉｎｔｒａＦｒｅＮｅｉｇｈＣｅｌｌＩｎｆｏ  ＩＥ）のために、隣接セル関連情報内のセル又は基地局によって、ＵＥ（複数可）に送信されてよい。いくつかの実装形態において、ｑ−ＲｘＬｅｖＭｉｎ−ｓｕｌは、異周波数セル再選択情報（例えばシステム情報ブロック４（System Information Block 4:ＳＩＢ４）内のｉｎｔｅｒＦｒｅｑＣａｒｒｉｅｒＦｒｅｑＩｎｆｏ  ＩＥ）内のセル又は基地局によって、ＵＥ（複数可）に送信されてよい。いくつかの実装形態において、ｑ−ＲｘＬｅｖＭｉｎ−ｓｕｌは、異周波数セル再選択のための隣接セル関連情報（例えばＳＩＢ４中のｉｎｔｅｒＦｒｅＮｅｉｇｈＣｅｌｌＩｎｆｏ  ＩＥ）中のセル又は基地局によってＵＥ（複数可）に送信されてよい。いくつかの実装形態において、ｑ−ＲｘＬｅｖＭｉｎ−ｓｕｌは、セル又は基地局によって、ＲＡＴ間セル再選択情報（例えばシステム情報ブロック５（System Information Block 5:ＳＩＢ５）内のＣａｒｒｉｅｒＦｒｅＲＡＴ  ＩＥ）中のセル又は基地局によってＵＥ（複数可）に送信されてよい。例えばＲＡＴは、Ｅ−ＵＴＲＡであってよい。いくつかの実装形態において、ｑ−ＲｘＬｅｖＭｉｎ−ｓｕｌは、セル再選択のためのＲＡＴ間隣接セル関連情報（例えばＳＩＢ５中のＲＡＴ−ＦｒｅｑＮｅｉｇｈＣｅｌｌＩｎｆｏ  ＩＥ）中のセル又は基地局によってＵＥ（複数可）に送信されてよい。例えばＲＡＴは、Ｅ−ＵＴＲＡであってよい。
【００８２】
いくつかの実装形態において、ＲＡＴ（例えばＥ−ＵＴＲＡ）は、ＳＵＬキャリアをサポートしてよい。ＵＥがセル又は基地局から、他のシステム情報（例えばＳＩＢ２、ＳＩＢ３、ＳＩＢ４、及びＳＩＢ５）においてｑ−ＲｘＬｅｖＭｉｎ−ｓｕｌを獲得（又は受信）する場合、ＵＥは、同一周波数セル（再）選択、隣接セルのための同一周波数セル再選択、異周波数セル（再）選択、隣接セルのための異周波数セル再選択、ＲＡＴ間セル再選択又はＲＡＴ間隣接セル再選択のために、取得されたｑ−ＲｘＬｅｖＭｉｎ−ｓｕｌの値を採用することができる。例えばＥ−ＵＴＲＡセルにキャンプするＵＥは、Ｅ−ＵＴＲＡセルから受信したｑ−ＲｘＬｅｖＭｉｎ−ｓｕｌに基づいて、ＲＡＴ間隣接セル再選択又はＮＲセルへのＲＡＴ間セル（再）選択を遂行してよい。例えばＮＲセルにキャンプするＵＥは、ＮＲセルから受信したｑ−ＲｘＬｅｖＭｉｎ−ｓｕｌに基づいて、Ｅ−ＵＴＲＡセルに対するＲＡＴ間隣接セル再選択又はＲＡＴ間セル（再）選択を実行してよい。
【００８３】
図２は、本開示の例示的な実装形態に従った、ＵＥとセルの間のシグナリングフローを示す概略図である。図２に示すように、アクション２０２において、ＵＥ２１は、ｑ−ＲｘＬｅｖＭｉｎ−ｓｕｌを要求するために、ＲＲＣシステム情報要求メッセージ（例えばＲＲＣＳｙｓｔｅｍＩｎｆｏＲｅｑｕｅｓｔメッセージ）をセル２３（又は基地局）に送信してよい。
【００８４】
アクション２０４において、ＵＥ２１は、セル２３からｑ−ＲｘＬｅｖＭｉｎ−ｓｕｌを受信してよい。アクション２０６において、ＵＥ２１は、アクション２０４において受信されたｑ−ＲｘＬｅｖＭｉｎ−ｓｕｌ値を使用して、セル（再）選択（例えば同一周波数セル（再）選択、隣接セルに対する同一周波数セル再選択、異周波数セル（再）選択、隣接セルに対する異周波数セル再選択、ＲＡＴ間セル再選択又はＲＡＴ間隣接セル再選択）を遂行してよい。
【００８５】
本開示のいくつかの実装形態において、セル（再）選択情報（例えば表１のパラメータ）に使用されるパラメータ値の組合せは、定義されてよい。ｑ−ＲｘＬｅｖＭｉｎ−ｓｕｌ及びｑ−ＲｘＬｅｖＭｉｎを例にとると、ｑ−ＲｘＬｅｖＭｉｎ−ｓｕｌ及びｑ−ＲｘＬｅｖＭｉｎの異なる値の組合せは、表２に示される。表２において、ｑ−ＲｘＬｅｖＭｉｎ−ｓｕｌ及びｑ−ＲｘＬｅｖＭｉｎの各組み合わせは、インデックス化され、セルは、インデックス化されたアプローチを使用して、ＳＩＢ１、他のシステム情報又はＲＲＣメッセージを介して、候補となる組み合わせのインデックスをＵＥに送信してよい。
【００８６】
表２に示されるｑ−ＲｘＬｅｖＭｉｎ−ｓｕｌ及びｑ−ＲｘＬｅｖＭｉｎの組み合わせは、例示の目的のためだけであり、本開示の範囲を限定することを意図しないことに留意されたい。いくつかの実装形態において、定義された組合せは、セル及びＵＥによって頻繁に使用されるセッティングであってよい。いくつかの実装形態において、定義された組合せは、システムの観点から、より合理的な組合せとしてよい。そのような組み合わせは、３ＧＰＰ仕様において、事前に構成されてもよく、又は定義されてもよい。いくつかの他の実装形態において、セル（再）選択のためのパラメータ／情報／基準を導出することは、ｑ−ＲｘＬｅｖＭｉｎ−ｓｕｌ及びｑ−ＲｘＬｅｖＭｉｎの組み合わせに限定されなくてもよい。
【表２】
2021526342.tif 000004
【００８７】
〔ＵＥタイマと定数〕
【００８８】
本開示のいくつかの実装形態において、セルは、動作及び保守のためのＵＥタイマ及び定数をＵＥに通知してよい。しかし、ＵＥタイマ及び定数の使用に応じて、場合によっては（例えばＳＩＢ１サイズ制限を考慮すると）、ＳＩＢ１内の全てのＵＥタイマ及び定数をブロードキャストすることは、それほど緊急ではなく、必要ではなくてもよい。したがって、本開示のいくつかの実装形態において、いくつかのＵＥタイマ及び定数がＳＩＢ１内に存在しなくてもよい。いくつかの実装形態において、ＳＩＢ１に存在しないＵＥタイマ及び定数は、他のシステム情報（例えばＳＩＢ２、ＳＩＢ３、・・・など）によって搬送されてもよい。いくつかの実装形態において、セルは、ＲＲＣメッセージを介して、ＳＩＢ１に存在しないＵＥタイマ及び定数をＵＥに通知してよい（例えばＲＲＣセットアップ手順及び／又はＲＲＣ再開手順の間）。
【００８９】
本開示のいくつかの実装形態において、ＵＥタイマ及び定数は、（限定されないが）第１のタイマ、第２のタイマ、第３のタイマ、第４のタイマ、第１のカウンタ（又は定数）、及び第２のカウンタ（又は定数）のうちの少なくとも１つを含んでよい。
【００９０】
本開示のいくつかの実装形態において、第１のタイマは、ＬＴＥ又はＮＲにおけるＴ３００タイマであってもよく、又はＴ３００タイマと同様であってもよいが、第１のタイマは、必ずしもＴ３００タイマに限定されないことに留意されたい。例えばＵＥは、ＵＥがＲＲＣセットアップ要求メッセージを送信するとき、第１のタイマを開始してよい。いくつかの実装形態において、ＵＥは、ＵＥがＲＲＣセットアップメッセージ又はＲＲＣ拒否メッセージをセルから受信したとき、第１のタイマを停止してよい。いくつかの実装形態において、ＵＥは、ＵＥがセル再選択を遂行するとき、第１のタイマを停止してよい。いくつかの実装形態において、ＵＥは、上位層（例えばノンアクセスストラタム（Non-Access Stratum:ＮＡＳ）層）によって要求されたＲＲＣ接続確立手順をＵＥが打ち切るとき、第１のタイマを停止してよい。いくつかの実装形態において、第１のタイマが満了するとき、ＵＥは、セル再選択を遂行してもよい。
【００９１】
本開示のいくつかの実装形態において、第２のタイマは、ＬＴＥ又はＮＲにおけるＴ３０１タイマであってもよく、又はＴ３０１タイマと同様であってもよいが、第２のタイマは必ずしもＴ３０１タイマに限定されないことに留意されたい。例えばＵＥは、ＵＥがＲＲＣ再確立要求メッセージを送信するとき、２番目のタイマを開始してよい。いくつかの実装形態において、ＵＥがＲＲＣ再確立メッセージ又はＲＲＣセットアップメッセージを受信するとき、２番目のタイマを停止してよい。いくつかの実装形態において、ＵＥは、選択されたセルが適さなくなったことをＵＥが観察するとき、第２のタイマを停止してよい。２番目のタイマが満了すると、ＵＥは、ＲＲＣ＿ＩＤＬＥ状態に遷移してよい。
【００９２】
本開示のいくつかの実装形態において、第１のカウンタ（又は定数）は、ＬＴＥ又はＮＲにおけるＮ３０１カウンタ（又は定数）であってもよく、又はＮ３０１カウンタ（又は定数）と同様であってもよいが、第１のカウンタ（又は定数）は、必ずしもＮ３０１カウンタ（又は定数）に限定されないことに留意されたい。例えばＵＥは、下位レイヤから受信されたプライマリセル（ＰＣｅｌｌ）又はプライマリ二次セル（ＰＳＣｅｌｌ）のための連続する「同期外れ」インディケイションの最大数である第１の定数を維持してよい。いくつかの実装形態において、ＰＣｅｌｌのための一つの第１の定数及びＰＳＣｅｌｌ（複数可）のための他の第１の定数（複数可）は、可能である。いくつかの実装形態において、ＰＣｅｌｌ及びＰＳＣｅｌｌ（複数可）は、同じ第１の定数を適用してよい。
【００９３】
本開示のいくつかの実装形態において、第２のカウンタ（又は定数）は、ＬＴＥ又はＮＲにおけるＮ３１１カウンタ（又は定数）であってもよく、又はＮ３１１カウンタ（又は定数）と同様であってもよいが、第２のカウンタ（又は定数）は、必ずしもＮ３１１カウンタ（又は定数）に限定されないことに留意されたい。例えばＵＥは、下位レイヤから受信されたＰＣｅｌｌ又はＰＳＣｅｌｌに対する連続する「同期中」インディケイションの最大数である第２の定数を維持してよい。いくつかの実装形態において、ＰＣｅｌｌのための１つの第２の定数及びＰＳＣｅｌｌ（複数可）のための他の第２の定数（複数可）は、可能である。いくつかの実装形態において、ＰＣｅｌｌ及びＰＳＣｅｌｌ（複数可）は、同じ第２の定数を適用してよい。
【００９４】
いくつかの実装形態において、第３のタイマは、ＬＴＥ又はＮＲにおけるＴ３１０タイマであってもよく、又はＴ３１０タイマと同様であってもよいが、第３のタイマは、必ずしもＴ３１０タイマに限定されないことに留意されたい。例えばＵＥは、ＵＥが特有セル（Special Cell:ＳｐＣｅｌｌ）の物理レイヤ問題を検出したとき、第３のタイマを開始してよい（例えばＵＥは、下位レイヤから第１の連続した同期外れインディケイションを受信する）。いくつかの実装形態において、ＵＥは、ＳｐＣｅｌｌのための下位レイヤから第２の連続した同期中インディケイションを受信したとき、第３のタイマを停止してよい。いくつかの実装形態において、ＵＥがそのセルグループのｒｅｃｏｎｆｉｇｕｒａｔｉｏｎＷｉｔｈＳｙｎｃ  ＩＥを持つＲＲＣ再構成メッセージをＵＥが受信したとき、３番目のタイマを停止してよい。ある実装形態において、ＵＥは、ＵＥが接続再確立手順を開始するとき、３番目のタイマを停止してよい。いくつかの実装形態において、ＵＥは、第３のタイマがＳＣＧ内に保持されている場合、ＵＥが二次セルグループ（Secondary Cell Group:ＳＣＧ）をリリースするとき、第３のタイマを停止してよい。いくつかの実装形態において、３番目のタイマがマスタセルグループ（Master Cell Group:ＭＣＧ）に保持され、セキュリティがまだアクティブになっていない場合、ＵＥは、３番目のタイマが満了すると、ＲＲＣ＿ＩＤＬＥ状態に遷移してよい。いくつかの実装形態において、３番目のタイマがＭＣＧに保持され、セキュリティが起動された場合、ＵＥは、３番目のタイマが満了すると、ＲＲＣ接続再確立手順を開始してよい。いくつかの実装形態において、３番目のタイマがＳＣＧに保持されている場合、ＵＥは、３番目のタイマが満了すると、ＳＣＧ障害情報手順を開始することによって、ＳＣＧ無線リンク障害についてＥ−ＵＴＲＡＮ又はＮＲネットワークに通知してよい。ＰＣｅｌｌは、ＭＣＧの一次セルを指してもよく、ＰＳＣｅｌｌは、ＳＣＧの一次セルを指してもよいことに留意されたい。デュアル接続の場合、ＵＥは、一つのＭＣＧ及び一つのＳＣＧに関連付けられてよい。マルチコネクティビティの場合、ＵＥは、一つのＭＣＧ及びいくつかのＳＣＧに関連付けられ得る。
【００９５】
本開示のいくつかの実装形態において、第４のタイマは、ＬＴＥ又はＮＲにおけるＴ３１１タイマであってもよく、又はＴ３１１タイマと同様であってもよいが、第４のタイマは、必ずしもＴ３１１タイマに限定されないことに留意されたい。例えばＵＥは、ＵＥがＲＲＣ接続再確立手順を開始したとき、第４のタイマを開始してよい。いくつかの実装形態において、ＵＥは、ＵＥが適切なＮＲセル又は別のＲＡＴを使用するセルを選択したとき、第４のタイマを停止してよい。４番目のタイマが満了すると、ＵＥは、ＲＲＣ＿ＩＤＬＥ状態に遷移してよい。
【００９６】
本開示のいくつかの実装形態において、第２のタイマ又は第４のタイマは、ＳＩＢ１に含まれなくてもよい。図３に示すように、いくつかの実装形態において、２番目のタイマ又は４番目のタイマは、ＲＲＣメッセージ（例えば４ｔｈメッセージ（Ｍｓｇ４）、ＲＲＣセットアップメッセージ、ＲＲＣ再構成メッセージ、ＲＲＣ再開メッセージ、ＲＲＣ再開メッセージ、ＲＲＣ拒否メッセージ、サスペンド構成なしのＲＲＣリリースメッセージ、サスペンド設定ありのＲＲＣリリースメッセージ）で搬送されてもよい。
【００９７】
図３は、本開示の例示的な実装形態に従った、ＵＥとセルの間のシグナリングフローを示す概略図である。図３に示すように、アクション３０４において、ＵＥ３１は、セル３３がアクション３０２においてＵＥタイマ又は定数をブロードキャストしない場合、セル３３にＲＲＣメッセージ（例えば３ｒｄメッセージ（Ｍｓｇ３）、ＲＲＣ再開要求メッセージ、ＲＲＣ再確立要求メッセージ、ＲＲＣセットアップ要求メッセージ、５ｔｈメッセージ（Ｍｓｇ５）、ＲＲＣセットアップ完了メッセージ、ＲＲＣ再開完了メッセージ、又はＲＲＣ再確立完了メッセージ）を送信してもよい。
【００９８】
アクション３０６において、セル３３は、ＵＥタイマ及び／又は定数（例えば第２のタイマ及び／又は第４のタイマ）を含むＲＲＣメッセージ（例えばＭｓｇ４、ＲＲＣセットアップメッセージ、ＲＲＣ再構成メッセージ、ＲＲＣ再開メッセージ、ＲＲＣ再確立メッセージ、ＲＲＣ拒否メッセージ、サスペンド構成なしのＲＲＣリリースメッセージ、又はサスペンド構成ありのＲＲＣリリースメッセージ）を用いて、ＵＥ３１に応答してもよい。次に、アクション３０８において、ＵＥ３１は、セル３３からＵＥタイマ及び／又は定数を採用してよい。
【００９９】
図３によれば、これは、セル３３がＵＥ特有の第２のタイマ又は第４のタイマをＵＥ３１に送信してもよいことを意味する。いくつかの実装形態において、第２のタイマ又は第４のタイマは、他のシステム情報に搬送されてよい。いくつかの実装形態において、ＵＥ３１は、１ｓｔメッセージ（Ｍｓｇ１）に基づいたシステム情報要求手順又は３ｒｄメッセージ（Ｍｓｇ３に基づいたシステム情報要求手順）を介して、他のシステム情報を要求して、第２のタイマ又は第４のタイマを獲得してよい。他のシステム情報は、ブロードキャスト又はユニキャストを介して、配信されてよい。図３に示されるシグナリングフローは、セルによる第２のタイマ及び第４のタイマの配信に限定されないことに留意されたい。いくつかの他の実装形態において、ＵＥがセルからタイマ及び／又は定数を受信しない場合、ＵＥは、デフォルト値（複数可）をＵＥタイマ及び／又は定数に適用してよい。いくつかの実装形態において、デフォルト値（複数可）は、ネットワークによって事前定義又は事前構成されていてよい。
【０１００】
本開示のいくつかの実装形態において、Ｍｓｇ１に基づいたシステム情報要求手順が適用されるとき、ＵＥが送信するランダムアクセス（Random Access:ＲＡ）プリアンブル（例えば４ステップランダムアクセスチャンネル（Random Access Channel:ＲＡＣＨ）手順におけるＭｓｇ１送信中、又は２ステップＲＡＣＨ手順におけるＭｓｇＡ送信中）は、ＵＥによって要求されたシステム情報（例えばＳＩＢ、ＳＩメッセージ）に対応してよい。いくつかの実装形態において、ＵＥがＲＡプリアンブルを送信する物理的ランダムアクセスチャンネル（ＰＲＡＣＨ）機会（複数可）（例えば４工程ＲＡＣＨ手順におけるＭｓｇ１送信中、又は２工程ＲＡＣＨ手順におけるＭｓｇＡ送信中）は、ＵＥによって要求されたシステム情報（例えばＳＩＢ、ＳＩメッセージ）に関連付けられてよい。ＵＥは、ＲＡプリアンブル及び／又はＰＲＡＣＨ機会（複数可）を介して、要求されたシステム情報（例えばＳＩＢ、ＳＩメッセージ）を基地局に暗黙的に通知してよい。
【０１０１】
本開示のいくつかの実施形態において、Ｍｓｇ３に基づいたシステム情報要求手順が適用されるとき、ＵＥによって送信されるＭｓｇ３は、要求されたシステム情報を示してよい。ＵＥは、Ｍｓｇ４の受信に基づいて、Ｍｓｇ３に基づいたシステム情報要求手順が成功したか否かを決定してよい。Ｍｓｇ３に基づいたシステム情報要求手順において、プリアンブル（複数可）及び／又はＰＲＡＣＨ機会は、本実装形態のいくつかの態様において予約されていなくてもよい。ＲＲＣシグナリングは、Ｍｓｇ３に基づいたシステム情報要求手順におけるシステム情報要求（例えばＳＩ要求）のために使用されてよい。ＳＩ要求を含んでいるＲＲＣメッセージは、ＲＲＣシステム情報要求メッセージ（例えばＲＲＣＳｙｓｔｅｍＩｎｆｏＲｅｑｕｅｓｔメッセージ）と呼ばれてよい。ＳＩ要求を含んでいるＲＲＣメッセージは、シグナリング無線ベアラ０（例えばＳＲＢ０）によって、ＵＥのＲＲＣレイヤからＵＥのＭＡＣレイヤに搬送されてよい。ＳＩ要求を含んでいるＲＲＣメッセージを搬送するＳＲＢ０は、共通制御チャンネル（Common Control Channel:ＣＣＣＨ）を介して搬送されてもよく、共通制御チャンネル（ＣＣＣＨ）はトランスペアレントモード（Transparent Mode:ＴＭ）無線リンク制御（Radio Link Control:ＲＬＣ）エンティティを用いて構成されてもよい。例えばＭｓｇ３は、ＳＩ要求のためのＲＲＣメッセージ（例えばＲＲＣＳｙｓｔｅｍＩｎｆｏＲｅｑｕｅｓｔメッセージ）を含んでよいＣＣＣＨサービスデータユニット（Service Data Unit:ＳＤＵ）を含んでよい。
【０１０２】
本開示のいくつかの実施形態において、第１のタイマ、第２のタイマ、第３のタイマ、第１のカウンタ（又は定数）、第４のタイマ、及び第２のカウンタ（又は定数）のうちの少なくとも一つを含むＵＥタイマ及び定数は、値の候補となる組み合わせを有するように定義されてよい。いくつかの実装形態において、候補となる組み合わせは、セル及びＵＥによって頻繁に使用されるセッティングであってよい。いくつかの実装形態において、候補となる組み合わせは、システムの観点から最も合理的な組み合わせであってもよい。そのような組み合わせは、３ＧＰＰ仕様において定義されてもよく、又はネットワークによって事前に構成されてもよい。いくつかの実装形態において、そのような組み合わせは表３に示すようにインデックス化されてもよい（ただし、これに限定されない）。セルは、インデックス化されたアプローチを使用して、ＳＩＢ１、他のシステム情報、又はＲＲＣメッセージを介して、候補となる組み合わせのインデックスをＵＥに送信してよい。ｎ１は、１に対応し、ｎ２は、２に対応し、以下同様である。
【表３】
2021526342.tif 000005
【０１０３】
本開示のいくつかの実施形態において、ＳＩＢ（例えばＳＩＢ１又はＭＩＢ）は、フラグビットを含んでよい。ＳＩＢ内のフラグビットが第１の値（例えば「１」）にセットされる場合、ＵＥは、このセルをキャンプ可能セルとして扱ってよい。いくつかの実装形態において、ＳＩＢのフラグビットが最初の値にセットされる場合、ＵＥは、対応するＳＩＢに対してオンデマンド要求を行ってよい。いくつかの実装形態（例えばＵＥは、要求されたＳＩＢに対応するプリアンブルを送ってもよく、ＵＥは、ＳＩＢのためのシステム情報要求を含むＲＲＣメッセージ（例えばＲＲＣシステム情報要求メッセージ）を送ってもよい）において、ＳＩＢの中のフラグビットが最初の値にセットされる場合、ＵＥはＳＩＢの中の情報を不完全情報として扱ってよく、対応するＳＩＢのためのオンデマンド要求をしてもよい。いくつかの実装形態において、セルがＵＥの要求を受信する場合、セルは、ＳＩＢを用いてＵＥに応答してよい。いくつかの実装形態において、セルがＵＥの要求を受信する場合、セルは、ＳＩＢ内の完全な情報を送信してよい。
【０１０４】
本開示のいくつかの実装形態において、ＵＥは、ＵＥがＲＲＣ接続確立手順を完了した後に、対応するＳＩＢのためのオンデマンド要求を行ってもよい。いくつかの実装形態において、ＵＥが存在しない対応する情報／構成にデフォルト値（複数可）を適用してよく、それはＵＥが存在しない値（複数可）で受信してよい。デフォルト値は、事前構成又は事前定義されてもよい。
【０１０５】
本開示のいくつかの実装形態において、ＳＩＢ１内のフラグビットが第１の値にセットされる場合、ＵＥは、このセルをキャンプ可能セルとして扱ってよく、デフォルト値（複数可）を不在情報／構成に適用してよい。一旦、ＵＥがＲＲＣ接続確立手順を完了すると、ＵＥは、ＳＩＢｓのために、更にオンデマンド要求であってよい。
【０１０６】
本発明のいくつかの実施形態において、ＳＩＢ内のフラグビットが第２の量（例えば「０」）にセットされる、又はＳＩＢ内に存在しない場合、ＵＥは、オンデマンド要求できないことを意味する。いくつかの実装形態において、ＳＩＢ内のフラグビットが第２の値（例えば「０」）にセットされる、又はＳＩＢ内に存在しない場合、ＵＥは、このセルを禁止セルとして扱い、セル（再）選択を遂行してよい。いくつかの実装形態において、少なくとも一つの情報フィールドが対応するＳＩＢ内に存在しない場合、及び／又はＳＩＢ内のフラグビットが第２の値にセットされる、又はＳＩＢ内に存在しない場合、ＵＥは、このセルが存在しない情報フィールドによってサポートされる機能を提供しないと考えてよく、ＵＥはこのセルを、禁止されたセルとして扱い、セル選択を遂行してよい。
【０１０７】
図４は、本開示の例示的な実装形態に従った、システム情報を受信する方法のフローチャートを示す。図４に示すように、フローチャートは、アクション４０２、４０４、４０６、及び４０８を含む。
【０１０８】
アクション４０２において、ＵＥは、システム情報を介して、必要最小限の受信レベルファクタ（例えばｑ−ＲｘＬｅｖＭｉｎ値）及びオフセット（例えばオフセットの形態であるｑ−ＲｘＬｅｖＭｉｎ−ｓｕｌ値）を受信してよい。
【０１０９】
アクション４０４において、ＵＥは、必要最小限の受信レベルファクタ及びオフセットに１より大きい整数を乗算した値に基づいて、必要最小限の受信レベル（例えばＱｒｘｌｅｖｍｉｎ）を得てもよい。例えばＵＥは（ｑ−ＲｘＬｅｖＭｉｎ）±（Ｙ×ｏｆｆｓｅｔ）に基づいて、Ｑｒｘｌｅｖｍｉｎを計算してもよく、ここでＹは１より大きい整数である。
【０１１０】
アクション４０６において、ＵＥは、必要最小限の受信レベルに基づいて、セル選択基準（例えばセル選択基準Ｓ）を決定してよい。
【０１１１】
アクション４０８において、ＵＥは、セル選択基準に基づいて、セル再選択を遂行してよい。
【０１１２】
本開示のいくつかの実装形態において、ＵＥは、オフセットが基地局又はセルによって送信されたＳＩＢ３における同一周波数セル再選択のための隣接セルに関連した情報において受信されるとき、同一周波数セル再選択を遂行してよい。
【０１１３】
いくつかの他の実装形態において、ＵＥは、オフセットが基地局又はセルによって送信されたＳＩＢ４中の異周波数セル再選択のための隣接セル関連した情報において受信されるとき、異周波数セル再選択を遂行してよい。
【０１１４】
本開示のいくつかの実施形態において、ＵＥは、オフセットを要求するために、ＲＲＣシステム情報要求メッセージをセルに送信してよい。セルは、ＲＲＣシステム情報要求メッセージを受信することに応答して、システム情報又はＲＲＣメッセージ（複数可）を介してオフセットをＵＥに応答してよい。
【０１１５】
図５は、本出願の様々な態様に従った、無線通信のためのノードを示すブロック図である。図５に示すように、ノード５００は、トランシーバ５２０、プロセッサ５２８、メモリ５３４、一つ以上のプレゼンテーションコンポーネント５３８、及び少なくとも一つのアンテナ５３６を含んでよい。ノード５００はまた、ＲＦスペクトル帯域モジュールと、ＢＳ通信モジュールと、ネットワーク通信モジュールと、システム通信管理モジュールと、入出力（Input/Output:Ｉ／Ｏ）ポートと、Ｉ／Ｏコンポーネントと、電源（図５には明示的に示されていない）とを含んでよい。これらのコンポーネントのそれぞれは、一つ以上のバス５４０を介して、直接的又は間接的に互いに通信することができる。一実装形態において、ノード５００は、例えば図１から図４を参照して本明細書で説明される様々な機能を実行するＵＥ又はＢＳであってもよい。
【０１１６】
送信機５２２（例えば送信／送信回路）及び受信機５２４（例えば受信／受信回路）を有するトランシーバ５２０は、時間及び／又は周波数リソース分割情報を送信する及び／又は受信するように構成されてよい。いくつかの実装形態において、トランシーバ５２０が使用可能、使用不可能、及び柔軟に使用可能なサブフレーム及びスロットフォーマットを含むが、これらに限定されない、異なるタイプのサブフレーム及びスロットで送信するように構成されてよい。トランシーバ５２０は、データ及び制御チャンネルを受信するように構成されてよい。
【０１１７】
ノード５００は、様々なコンピュータ読み取り可能媒体を含んでよい。コンピュータ読み取り可能媒体は、ノード５００によってアクセスされてよく、揮発性及び不揮発性媒体、リムーバブル媒体及び非リムーバブル媒体の両方を含む任意の利用可能な媒体であってもよい。限定ではなく、例として、コンピュータ読み取り可能媒体は、コンピュータ記憶媒体及び通信媒体を備えてよい。コンピュータ記憶媒体は、コンピュータ読み取り可能命令、データ構造、プログラムモジュール、又はデータといった情報を記憶するための任意の方法又は技術で実装される、揮発性及び不揮発性、リムーバブル及び非リムーバブル媒体の両方を含む。
【０１１８】
コンピュータ記憶媒体は、ＲＡＭ、ＲＯＭ、ＥＥＰＲＯＭ、フラッシュメモリ又は他のメモリ技術、ＣＤ−ＲＯＭ、デジタル多用途ディスク（Digital Versatile Disks:ＤＶＤ）又は他の光ディスク記憶装置、磁気カセット、磁気テープ、磁気ディスク記憶装置又は他の磁気記憶装置を含む。コンピュータ記憶媒体は、伝播データ信号を含まない。通信媒体は一般的に、コンピュータ読み取り可能命令、データ構造、プログラムモジュール、又は他のデータを、搬送波又は他のトランスポート機構といった変調されたデータ信号で具現化し、任意の情報配信媒体を含む。「変調されたデータ信号」というタームは、その特性のうちの一つ以上が信号内に符号化されるように設定又は変更された信号を意味する。限定ではなく、例として、通信媒体は、有線ネットワーク又は直接有線接続といった有線媒体と、音響、ＲＦ、赤外線、及び他の無線媒体といった無線媒体とを含む。上記のいずれの組合せも、コンピュータ読み取り可能媒体の範囲内に含まれるべきである。
【０１１９】
メモリ５３４は、揮発性及び／又は不揮発性メモリの形態のコンピュータ記憶媒体を含んでよい。メモリ５３４は、リムーバブル、非リムーバブル、又はそれらの組み合わせであってよい。例としてのメモリは、ソリッドステートメモリ、ハードドライブ、光学ディスクドライブなどを含む。図５に示すように、メモリ５３４は実行されると、プロセッサ５２８に、例えば図１から図４を参照して、本明細書に記載する様々な機能を遂行させるように構成されたコンピュータ読み取り可能なコンピュータ実行可能命令５３２（例えばソフトウェアコード）を記憶することができる。別の方法として、命令５３２は、プロセッサ５２８によって直接実行可能ではなく、ノード５００に、本明細書に記載する様々な機能を遂行させるように（例えばコンパイルされ実行されるとき）構成されてもよい。
【０１２０】
プロセッサ５２８（例えば処理回路を有する）は、インテリジェントハードウェアデバイス、例えば中央処理装置（Central Processing Unit:ＣＰＵ）、マイクロコントローラ、ＡＳＩＣなどを含んでよい。プロセッサ５２８は、メモリを含んでよい。プロセッサ５２８は、メモリ５３４から受信したデータ５３０及び命令５３２、並びにトランシーバ５２０、ベースバンド通信モジュール、及び／又はネットワーク通信モジュールを介した情報を処理することができる。プロセッサ５２８はまた、コアネットワークへの送信のために、アンテナ５３６を介してネットワーク通信モジュールに送信するためにトランシーバ５２０に送信される情報を処理してよい。
【０１２１】
一つ以上のプレゼンテーションコンポーネント５３８は、人又は他のデバイスにデータインディケイションを提示する。プレゼンテーションコンポーネント５３８の例は、表示デバイス、スピーカー、印刷コンポーネント、振動コンポーネントなどを含んでよい。
【０１２２】
上記の説明から、様々な技術が、これらの概念の範囲から逸脱することなく、本出願で説明される概念を実行するために使用され得ることが明らかである。さらに、概念は特定の実装形態を特に参照して説明されてきたが、当業者はそれらの概念の範囲から逸脱することなく、形態及び詳細において変更を行うことができることを認識するであろう。したがって、説明された実装形態は、すべての点において、例示的なものであり、限定的なものではないと考えられるべきである。また、本出願は、上述の特定の実装形態に限定されるものではなく、本開示の範囲から逸脱することなく、多くの再構成、修正、及び置換が可能であることを理解されたい。
【図面の簡単な説明】
【０１２３】
【図１】図１は、本開示の例示的な実装形態に従った、システム情報ブロック１（ＳＩＢ１）コンテンツの分割を示す概略図である。
【図２】図２は、本開示の例示的な実装形態に従った、ＵＥとセルの間のシグナリングフローを示す概略図である。
【図３】図３は、本開示の例示的な実装形態に従った、ＵＥとセルの間のシグナリングフローを示す概略図である。
【図４】図４は、本開示の例示的な実装形態に従った、システム情報を受信する方法のフローチャートを示す。
【図５】図５は、本開示の様々な態様に従った、無線通信のためのノードを示すブロック図である。
【図１】
2021526342.tif 000006
【図２】
2021526342.tif 000007
【図３】
2021526342.tif 000008
【図４】
2021526342.tif 000009
【図５】
2021526342.tif 000010
【国際調査報告】
2021526342.tif 000011
2021526342.tif 000012